(57)【要約】  本開示は、トラッキング基準信号の設定方法、端末及びネットワーク機器を開示し、その方法において、物理チャネル又は物理信号とは疑似コロケーションである非周期的基準信号がネットワーク機器によって設定された場合、非周期的基準信号又は非周期的基準信号に関連する目標物理信号を、所定の方式に従って物理チャネル又は物理信号の疑似コロケーション信号に決定するステップを含む。
2021520759.tif 000002
【特許請求の範囲】
【請求項１】
端末側に応用される疑似コロケーション設定方法において、
物理チャネル又は物理信号とは疑似コロケーションである非周期的基準信号がネットワーク機器によって設定された場合、前記非周期的基準信号又は前記非周期的基準信号に関連する目標物理信号を、所定の方式に従って前記物理チャネル又は物理信号の疑似コロケーション信号に決定することを含む、疑似コロケーション設定方法。
【請求項２】
前記非周期的基準信号と目標物理信号との関連関係は、前記ネットワーク機器から送信される上位層シグナリングによって指示される疑似コロケーション関係に基づいて決定される、請求項１に記載の疑似コロケーション設定方法。
【請求項３】
前記物理チャネル又は物理信号と前記目標物理信号との疑似コロケーションタイプは、前記物理チャネル又は物理信号と前記非周期的基準信号との疑似コロケーションタイプと同じである、請求項１に記載の疑似コロケーション設定方法。
【請求項４】
前記非周期的基準信号又は前記非周期的基準信号に関連する目標物理信号を、所定の方式に従って前記物理チャネル又は物理信号の疑似コロケーション信号に決定することは、
第１の時間窓内に前記非周期的基準信号を受信した場合、前記非周期的基準信号を前記物理チャネル又は物理信号の疑似コロケーション信号に決定すること、
又は、
前記第１の時間窓内に前記非周期的基準信号が受信されない場合、前記非周期的基準信号に関連する目標物理信号を、前記物理チャネル又は物理信号の疑似コロケーション信号に決定すること、
又は、
前記第１の時間窓内に前記非周期的基準信号及び前記非周期的基準信号に関連する目標物理信号を受信した場合、前記非周期的基準信号と前記目標物理信号とのうち前記物理チャネル又は物理信号に最も近いものを、前記物理チャネル又は物理信号の疑似コロケーション信号に決定することを含む、請求項１に記載の疑似コロケーション設定方法。
【請求項５】
前記非周期的基準信号を前記物理チャネル又は物理信号の疑似コロケーション信号に決定することは、
受信した非周期的基準信号のうち、前記物理チャネル又は物理信号に最も近いものを、前記物理チャネル又は物理信号の疑似コロケーション信号に決定することを含む、請求項１又は４に記載の疑似コロケーション設定方法。
【請求項６】
前記所定の方式は、予め定義されるか、又はネットワーク機器から受信される第１のシグナリングによって指示される、請求項１〜４のいずれかに記載の疑似コロケーション設定方法。
【請求項７】
前記第１のシグナリングは、ＤＣＩシグナリング、上位層シグナリング又はメディアアクセス制御ＭＡＣ層シグナリングを含む、請求項６に記載の疑似コロケーション設定方法。
【請求項８】
前記第１の時間窓のパラメータは、予め定義されるか、又はネットワーク機器から受信される第２のシグナリングによって指示される、請求項４に記載の疑似コロケーション設定方法。
【請求項９】
前記第２のシグナリングは、ＤＣＩシグナリング、上位層シグナリング又はメディアアクセス制御ＭＡＣ層シグナリングを含む、請求項８に記載の疑似コロケーション設定方法。
【請求項１０】
前記第１の時間窓のパラメータは、前記非周期的基準信号に関連する周期信号の周期長である窓長、開始位置、終了位置の少なくとも１つを含む、請求項８に記載の疑似コロケーション設定方法。
【請求項１１】
前記非周期的基準信号は、非周期的トラッキング基準信号ＴＲＳ及び非周期的チャネル状態指示基準信号ＣＳＩ−ＲＳの少なくとも一方を含む、請求項１記載の疑似コロケーション設定方法。
【請求項１２】
前記非周期的基準信号が非周期的ＴＲＳである場合、前記目標物理信号は、周期的ＴＲＳであり、
前記非周期的基準信号が非周期的ＣＳＩ−ＲＳである場合、前記目標物理信号は、周期的ＴＲＳ、非周期的ＴＲＳ、同期信号ブロックＳＳＢ、周期的ＣＳＩ−ＲＳ、半持続的ＣＳＩ−ＲＳ及び非周期的ＣＳＩ−ＲＳのうちの少なくとも１つである、請求項１１記載の疑似コロケーション設定方法。
【請求項１３】
前記非周期的基準信号が非周期的ＣＳＩ−ＲＳである場合、前記非周期的基準信号に関連する目標物理信号を、所定の方式に従って前記物理チャネル又は物理信号の疑似コロケーション信号に決定することは、
第２の時間窓内に前記非周期的ＣＳＩ−ＲＳに関連する第１の目標物理信号が受信されない場合、前記第１の目標物理信号に関連する第２の目標物理信号を、所定の方式に従って前記物理チャネル又は物理信号の疑似コロケーション信号に決定することを含む、請求項１１記載の疑似コロケーション設定方法。
【請求項１４】
前記非周期的基準信号は、前記目標物理信号と異なるキャリア又はセルに位置し、又は、前記非周期的基準信号は、前記目標物理信号と同じキャリア又はセルに位置する、請求項１に記載の疑似コロケーション設定方法。
【請求項１５】
前記物理チャネルは、物理下り共有チャネルＰＤＳＣＨ及び物理下り制御チャネルＰＤＣＣＨの少なくとも一方を含み、前記物理信号は、復調基準信号ＤＭＲＳ及びチャネル状態指示基準信号ＣＳＩ−ＲＳの少なくとも一方を含む、請求項１に記載の疑似コロケーション設定方法。
【請求項１６】
物理チャネル又は物理信号とは疑似コロケーションである非周期的基準信号がネットワーク機器によって設定された場合、前記非周期的基準信号又は前記非周期的基準信号に関連する目標物理信号を、所定の方式に従って前記物理チャネル又は物理信号の疑似コロケーション信号に決定する処理モジュールを含む、端末。
【請求項１７】
プロセッサと、メモリと、前記メモリに格納されて前記プロセッサで動作可能なプログラムを含む端末であって、
前記プログラムが前記プロセッサによって実行されると、請求項１〜１５のいずれか一項に記載の疑似コロケーション設定方法が実現される、端末。
【請求項１８】
ネットワーク機器側に応用される疑似コロケーション設定方法において、
物理チャネル又は物理信号とは疑似コロケーションである非周期的基準信号を設定することと、
所定の方式を指示する第１のシグナリングを送信することとを含み、
ここで、端末は、前記非周期的基準信号又は前記非周期的基準信号に関連する目標物理信号を、前記第１のシグナリングによって指示される所定の方式に従って前記物理チャネル又は物理信号の疑似コロケーション信号に決定する、疑似コロケーション設定方法。
【請求項１９】
上位層シグナリングの疑似コロケーション関係によって、前記非周期的基準信号と前記目標物理信号との関連関係を設定することを更に含む、請求項１８に記載の疑似コロケーション設定方法。
【請求項２０】
前記物理チャネル又は物理信号と前記目標物理信号との疑似コロケーションタイプは、前記物理チャネル又は物理信号と前記非周期的基準信号との疑似コロケーションタイプと同じである、請求項１８に記載の疑似コロケーション設定方法。
【請求項２１】
前記所定の方式は、
第１の時間窓内に前記非周期的基準信号を受信した場合、前記非周期的基準信号を前記物理チャネル又は物理信号の疑似コロケーション信号に決定すること、
又は、
前記第１の時間窓内に前記非周期的基準信号が受信されない場合、前記非周期的基準信号に関連する目標物理信号を、前記物理チャネル又は物理信号の疑似コロケーション信号に決定すること、
又は、
前記第１の時間窓内に前記非周期的基準信号及び前記非周期的基準信号に関連する目標物理信号を受信した場合、前記非周期的基準信号と前記目標物理信号とのうち前記物理チャネル又は物理信号に最も近いものを、前記物理チャネル又は物理信号の疑似コロケーション信号に決定すること、
を実行するように端末に指示する、請求項１８に記載の疑似コロケーション設定方法。
【請求項２２】
前記第１のシグナリングは、ＤＣＩシグナリング、上位層シグナリング又はメディアアクセス制御ＭＡＣ層シグナリングを含む、請求項１８〜２１のいずれか一項に記載の疑似コロケーション設定方法。
【請求項２３】
前記第１の時間窓のパラメータを指示する第２のシグナリングを送信することを更に含む、請求項２１に記載の疑似コロケーション設定方法。
【請求項２４】
前記第２のシグナリングは、ＤＣＩシグナリング、上位層シグナリング又はメディアアクセス制御ＭＡＣ層シグナリングを含む、請求項２３に記載の疑似コロケーション設定方法。
【請求項２５】
前記第１の時間窓のパラメータは、前記非周期的基準信号に関連する周期信号の周期長である窓長、開始位置、終了位置の少なくとも１つを含む、請求項２３に記載の疑似コロケーション設定方法。
【請求項２６】
前記非周期的基準信号は、非周期的トラッキング基準信号ＴＲＳ及び非周期的チャネル状態指示基準信号ＣＳＩ−ＲＳの少なくとも一方を含む、請求項１８記載の疑似コロケーション設定方法。
【請求項２７】
前記非周期的基準信号が非周期的ＴＲＳである場合、前記目標物理信号は、周期的ＴＲＳであり、
前記非周期的基準信号が非周期的ＣＳＩ−ＲＳである場合、前記目標物理信号は、周期的ＴＲＳ、非周期的ＴＲＳ、同期信号ブロックＳＳＢ、周期的ＣＳＩ−ＲＳ、半持続的ＣＳＩ−ＲＳ及び非周期的ＣＳＩ−ＲＳのうちの少なくとも１つである、請求項２６記載の疑似コロケーション設定方法。
【請求項２８】
前記非周期的基準信号は、前記目標物理信号と異なるキャリア又はセルに位置し、又は、前記非周期的基準信号は、前記目標物理信号と同じキャリア又はセルに位置する、請求項１８に記載の疑似コロケーション設定方法。
【請求項２９】
前記物理チャネルは、物理下り共有チャネルＰＤＳＣＨ及び物理下り制御チャネルＰＤＣＣＨの少なくとも一方を含み、前記物理信号は、復調基準信号ＤＭＲＳ及びチャネル状態指示基準信号ＣＳＩ−ＲＳの少なくとも一方を含む、請求項１８に記載の疑似コロケーション設定方法。
【請求項３０】
物理チャネル又は物理信号とは疑似コロケーションである非周期的基準信号を設定する第１設定モジュールと、
所定の方式を指示する第１のシグナリングを送信する第１送信モジュールとを含み、
ここで、端末は、前記非周期的基準信号又は前記非周期的基準信号に関連する目標物理信号を、前記第１のシグナリングによって指示される所定の方式に従って前記物理チャネル又は物理信号の疑似コロケーション信号に決定する、ネットワーク機器。
【請求項３１】
プロセッサと、メモリと、前記メモリに格納されて前記プロセッサで動作可能なプログラムを含むネットワーク機器であって、
前記プロセッサは、前記プログラムを実行すると、請求項１８〜２９のいずれか一項に記載の疑似コロケーション設定方法を実現する、ネットワーク機器。
【請求項３２】
プログラムが格納されているコンピュータ読み取り可能な記憶媒体であって、
前記プログラムがプロセッサによって実行されると、請求項１〜１５のいずれか一項に記載の疑似コロケーション設定方法が実現され、又は、請求項１８〜２９のいずれか一項に記載の疑似コロケーション設定方法が実現される、コンピュータ読み取り可能な記憶媒体。
【発明の詳細な説明】
【技術分野】
【０００１】
本願は、２０１８年５月１１日に中国特許庁に提出された中国特許出願２０１８１０４５１２８３．Ｘの優先権を主張し、その全ての内容が援用によりここに取り込まれる。
本開示は、通信技術分野に係り、特に疑似コロケーション設定方法、端末及びネットワーク機器に係る。
【背景技術】
【０００２】
第５世代５Ｇ（５−ｔｈ  Ｇｅｎｅｒａｔｉｏｎ）移動通信システムでは、システムの信頼性を高めるために、システムの周波数オフセット、時間オフセット、ドップラーシフト、ドップラースプレッド、遅延スプレッドを正確に推定する必要がある。
【０００３】
２つのアンテナポートの信号が疑似コロケーショＱＣＬ（ｑｕａｓｉ  Ｃｏ−ｌｏｃａｔｉｏｎ）関係を満たす場合、２つの群の信号が経るチャネルのドップラーシフト（Ｄｏｐｐｌｅｒ  ｓｈｉｆｔ）、ドップラースプレッド（Ｄｏｐｐｌｅｒ  ｓｐｒｅａｄ）、平均遅延（ａｖｅｒａｇｅ  ｄｅｌａｙ）、遅延スプレッド（ｄｅｌａｙ  ｓｐｒｅａｄ）、空間受信パラメータ（Ｓｐａｔｉａｌ  Ｒｅｃｅｐｔｉｏｎ  ｐａｒａｍｅｔｅｒ）のうちの少なくとも１つがほぼ同じであり、ラージスケールパラメータの決定には、同じ基準信号を使用することができる。ここで、ＱＣＬタイプ（ＱＣＬ  ｔｙｐｅ）は、以下を含む。
ＱＣＬタイプＡ：その疑似コロケーションパラメータが、ドップラーシフト、ドップラースプレッド、平均遅延及び遅延スプレッドを含む。
ＱＣＬタイプＢ：その疑似コロケーションパラメータが、ドップラーシフト及びドップラースプレッドを含む。
ＱＣＬタイプＣ：その疑似コロケーションパラメータが、平均遅延及びドップラーシフトを含む。
ＱＣＬタイプＤ：その疑似コロケーションパラメータが、空間受信パラメータを含む。
【０００４】
周期的基準信号は、柔軟性が低いため、ビーム切り替え、ＢＷＰ切り替え、キャリアアグリゲーションなどのシナリオで問題となり、非周期的基準信号が導入される。一部の非周期的基準信号は、下り制御情報ＤＣＩ（Ｄｏｗｎｌｉｎｋ  Ｃｏｎｔｒｏｌ  Ｉｎｆｏｒｍａｔｉｏｎ）によってトリガされる。ネットワーク機器がある時点で非周期的基準信号を設定し、端末が、その非周期的基準信号をトリガするＤＣＩを検出しなかった場合、その非周期的基準信号をＱＣＬソース基準信号とする物理チャネル又は物理信号のドップラーシフト、ドップラースプレッド、平均遅延及び遅延スプレッドなどのパラメータ情報を決定することができず、その結果、それらの物理チャネル又は物理信号のラージスケールパラメータを決定することができない。
【発明の概要】
【発明が解決しようとする課題】
【０００５】
本開示の実施例は、物理チャネル又は物理信号のラージスケールパラメータの決定問題を解決するために、疑似コロケーション設定方法、端末及びネットワーク機器を提供する。
【課題を解決するための手段】
【０００６】
第１態様として、本開示の実施例は、疑似コロケーション設定方法を提供する。
端末側に応用される疑似コロケーション設定方法において、
物理チャネル又は物理信号とは疑似コロケーションである非周期的基準信号がネットワーク機器によって設定された場合、非周期的基準信号又は非周期的基準信号に関連する目標物理信号を、所定の方式に従って物理チャネル又は物理信号の疑似コロケーション信号に決定することを含む。
【０００７】
第２態様として、本開示の実施例は、端末を更に提供する。
端末は、
物理チャネル又は物理信号とは疑似コロケーションである非周期的基準信号がネットワーク機器によって設定された場合、非周期的基準信号又は非周期的基準信号に関連する目標物理信号を、所定の方式に従って物理チャネル又は物理信号の疑似コロケーション信号に決定する処理モジュールを含む。
【０００８】
第３態様として、本開示の実施例は、端末を提供する。
プロセッサと、メモリと、メモリに格納されてプロセッサで動作可能なプログラムを含む端末であって、
プログラムがプロセッサによって実行されると、上記の疑似コロケーション設定方法が実現される。
【０００９】
第４態様として、本開示の実施例は、疑似コロケーション設定方法を提供する。  
ネットワーク機器側に応用される疑似コロケーション設定方法において、
物理チャネル又は物理信号とは疑似コロケーションである非周期的基準信号を設定することと、
所定の方式を指示する第１のシグナリングを送信することとを含み、
ここで、端末は、非周期的基準信号又は非周期的基準信号に関連する目標物理信号を、第１のシグナリングによって指示される所定の方式に従って物理チャネル又は物理信号の疑似コロケーション信号に決定する。
【００１０】
第５態様として、本開示の実施例は、ネットワーク機器を提供する。
ネットワーク機器は、
物理チャネル又は物理信号とは疑似コロケーションである非周期的基準信号を設定する第１設定モジュールと、
所定の方式を指示する第１のシグナリングを送信する第１送信モジュールとを含み、
ここで、端末は、非周期的基準信号又は非周期的基準信号に関連する目標物理信号を、第１のシグナリングによって指示される所定の方式に従って物理チャネル又は物理信号の疑似コロケーション信号に決定する。
【００１１】
第６態様として、本開示の実施例は、ネットワーク機器を更に提供する。
プロセッサと、メモリと、メモリに格納されてプロセッサで動作可能なプログラムを含むネットワーク機器であって、
プロセッサがプログラムを実行すると、上記の疑似コロケーション設定方法が実現される。
【００１２】
第７態様として、本開示の実施例は、記憶媒体を提供する。
プログラムが格納されているコンピュータ読み取り可能な記憶媒体であって、
プログラムがプロセッサによって実行されると、上記端末側の疑似コロケーション設定方法が実現され、又は、上記ネットワーク機器側の疑似コロケーション設定方法が実現される。
【発明の効果】
【００１３】
このように、本開示の実施例において、ネットワーク機器から物理チャネル又は物理信号のための非周期的基準信号が設定された場合、該非周期的基準信号又は該非周期的基準信号に関連する目標物理信号に基づいて物理チャネル又は物理信号の疑似コロケーションパラメータを決定することができ、物理チャネル又は物理信号の対応するラージスケールパラメータの取得を保証することができ、物理チャネル又は物理信号が正常に伝送されることを保証することができる。
【００１４】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００１５】
【図１】本開示の実施例の応用可能な無線通信システムのブロック図である。
【図２】本開示の実施例に係る端末側の疑似コロケーション設定方法のフローチャートその１である。
【図３】周期的ＴＲＳと非周期的ＴＲＳのマッピング図である。
【図４】本開示の実施例に係る端末側の疑似コロケーション設定方法のフローチャートその２である。
【図５】本開示の実施例に係る端末のモジュール構造図である。
【図６】本開示の実施例に係る端末のブロック図である。
【図７】本開示の実施例に係るネットワーク機器側の疑似コロケーション設定方法のフローチャートである。
【図８】本開示の実施例に係るネットワーク機器のモジュール構造図である。
【図９】本開示の実施例に係るネットワーク機器のブロック図である。
【発明を実施するための形態】
【００１６】
以下、図面を参照して本開示の例示的な実施例を更に詳細に記載する。本開示の例示的な実施例を図面に示しているが、本開示は、ここで説明した実施例に限定されることなく様々な形態で実現されうることが理解されるべきである。これらの実施例を示すことは、本開示をより徹底的に理解してもらい、本開示の範囲を当業者に全面的に伝えるためである。
【００１７】
本開示の明細書及び特許請求の範囲における「第１」、「第２」などの用語は、特定の順序又は前後順を記述するために使用されるのではなく、類似の対象を区別するために使用される。そのように使用されるデータは、本明細書に記載される本開示の実施例が、例えば、本明細書に図示又は記載されるもの以外の順序でも実施されるように、適切に交換されることが理解されるべきである。更に、「含む」及び「有する」という用語ならびにそれらの任意の変形は、非排他的を意図しており、例えば、一連の工程又はユニットを含むプロセス、方法、システム、製品又は装置は、必ずしも明確に列挙されたそれらの工程又はユニットに限定されるものではなく、明確に列挙されていないもの又はそれらのプロセス、方法、製品又は装置に固有の他の工程又はユニットを含んでもよい。本明細書及び特許請求の範囲において、「及び／又は」は、連結された対象の少なくとも１つを意味する。
【００１８】
本明細書で説明される技術は、ロングタームエボリューションＬＴＥ（Ｌｏｎｇ  Ｔｉｍｅ  Ｅｖｏｌｕｔｉｏｎ）／ＬＴＥ−Ａ（ＬＴＥ−Ａｄｖａｎｃｅｄ）システムに限定されず、符号分割多元接続ＣＤＭＡ（Ｃｏｄｅ  Ｄｉｖｉｓｉｏｎ  Ｍｕｌｔｉｐｌｅ  Ａｃｃｅｓｓ）、時分割多元接続ＴＤＭＡ（Ｔｉｍｅ  Ｄｉｖｉｓｉｏｎ  Ｍｕｌｔｉｐｌｅ  Ａｃｃｅｓｓ）、周波数分割多元接続ＦＤＭＡ（Ｆｒｅｑｕｅｎｃｙ  Ｄｉｖｉｓｉｏｎ  Ｍｕｌｔｉｐｌｅ  Ａｃｃｅｓｓ）、直交周波数分割多元接続ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、シングルキャリア周波数分割多元接続ＳＣ−ＦＤＭＡ（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ）及び他のシステムなどの様々な無線通信システムに使用される。用語「システム」及び「ネットワーク」は、しばしば交換可能に使用される。ＣＤＭＡシステムは、ＣＤＭＡ２０００、ユニバーサル地上無線アクセスＵＴＲＡ（Ｕｎｉｖｅｒｓａｌ  Ｔｅｒｒｅｓｔｒｉａｌ  Ｒａｄｉｏ  Ａｃｃｅｓｓ）などの無線技術を実現できる。ＵＴＲＡは、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）（登録商標）及び他のＣＤＭＡ変形形態を含む。ＴＤＭＡシステムは、グローバル移動通信システムＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）などの無線技術を実現できる。ＯＦＤＭＡシステムは、ＵＭＢ（Ｕｌｔｒａ  Ｍｏｂｉｌｅ  Ｂｒｏａｄｂａｎｄ）、Ｅ−ＵＴＲＡ（Ｅｖｏｌｕｔｉｏｎ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術を実現できる。ＵＴＲＡ及びＥ−ＵＴＲＡは、ユニバーサル移動体通信システムＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の部分である。ＬＴＥ及びＬＴＥ−Ａなどのより高レベルのＬＴＥは、Ｅ−ＵＴＲＡを使用する新しいＵＭＴＳリリースである。ＵＴＲＡ、Ｅ−ＵＴＲＡ、ＵＭＴＳ、ＬＴＥ、ＬＴＥ−Ａ及びＧＳＭは、「第３世代パートナーシッププロジェクト」（３ｒｄ  Ｇｅｎｅｒａｔｉｏｎ  Ｐａｒｔｎｅｒｓｈｉｐ  Ｐｒｏｊｅｃｔ：３  ＧＰＰ）という名称の組織からの文書に記載されている。ＣＤＭＡ２０００及びＵＭＢは、「第３世代パートナーシッププロジェクト２」（３ＧＰＰ２）という名称の組織からの文書に記載されている。本明細書で説明される技術は、以上で言及されたシステム及び無線技術に使用されるのみならず、他のシステム及び無線技術にも使用される。しかしながら、以下の説明は、例示の目的でＮＲシステムを説明し、以下の説明の大部分においてＮＲという用語が使用されるが、これらの技術は、ＮＲシステムの適用例以外の適用例にも適用される。
【００１９】
以下の説明は、特許請求の範囲に記載された範囲、適用可能性、又は設定を限定することなく、例を提供する。本開示の趣旨及び範囲から逸脱することなく、論じられた要素の機能及び構成を変更することができる。様々な例は、様々な手順又は構成要素を適切に省略、置換、又は追加することができる。例えば、説明された方法は、説明されたものとは異なる順序で実行されてもよく、様々なステップが追加、省略、又は組み合わされてもよい。更に、いくつかの例を基準して説明される特徴は、他の例において組み合わされてもよい。
【００２０】
図１を参照する。図１は、本開示の実施例の応用可能な無線通信システムのブロック図を示す。無線通信システムは、端末１１とネットワーク機器１２とを含む。ここで、端末１１は、端末機器又はユーザ端末ＵＥ（Ｕｓｅｒ  Ｅｑｕｉｐｍｅｎｔ）とも呼ばれ、端末１１は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、携帯情報端末ＰＤＡ（Ｐｅｒｓｏｎａｌ  Ｄｉｇｉｔａｌ  Ａｓｓｉｓｔａｎｔ）、モバイルネットワーク機器ＭＩＤ（Ｍｏｂｉｌｅ  Ｉｎｔｅｒｎｅｔ  Ｄｅｖｉｃｅ）、ウェアラブルデバイス（Ｗｅａｒａｂｌｅ  Ｄｅｖｉｃｅ）、又は車載機器などの端末側機器であってもよい。なお、本開示の実施例において、端末１１の具体的なタイプは、限定されない。ネットワーク機器１２は、基地局又はコアネットワークであってもよい。ここで、上記基地局は、５Ｇ以降のバージョンの基地局（例えば、次世代基地局ｇＮＢ（ｎｅｘｔ  ｇｅｎｅｒａｔｉｏｎ  ｎｏｄｅ  ｂａｓｅ  ｓｔａｔｉｏｎ）、５Ｇ  ＮＲ  ＮＢ（５Ｇ  ｎｅｗ  ｒａｄｉｏ  ｎｏｄｅ  ｂａｓｅ  ｓｔａｔｉｏｎ）など）、又は他の通信システムにおける基地局（例えば、ｅＮＢ、ＷＬＡＮアクセスポイント、又は他のアクセスポイントなど）であってもよい。ここで、基地局は、ノードＢ、発展型ノードＢ、アクセスポイント、基地トランシーバ局ＢＴＳ（Ｂａｓｅ  Ｔｒａｎｓｃｅｉｖｅｒ  Ｓｔａｔｉｏｎ）、無線基地局、無線トランシーバ、基本サービスセットＢＳＳ（Ｂａｓｉｃ  Ｓｅｒｖｉｃｅ  Ｓｅｔ）、拡張サービスセットＥＳＳ（Ｅｘｔｅｎｄｅｄ  Ｓｅｒｖｉｃｅ  Ｓｅｔ）、Ｂノード、発展型Ｂノード（ｅＮＢ）、ホームＢノード、ホーム発展型ノードＢ、ＷＬＡＮアクセスポイント、ＷｉＦｉノード、又は所属分野における他の何らかの適切な用語で呼ばれることがある。同様の技術的効果を奏する限り、前記基地局は、特定の技術用語に限定されない。なお、本開示の実施例において、単にＮＲシステムにおける基地局を例として説明するが、基地局の具体的な種類を限定しない。
【００２１】
基地局は、基地局制御装置の制御下で端末１１と通信し、様々な例では、基地局制御装置がコアネットワーク又はいくつかの基地局の一部である。いくつかの基地局は、バックホールを通じてコアネットワークと制御情報又はユーザデータを通信することができる。いくつかの例では、これらの基地局のいくつかは、有線又は無線通信リンクであるバックホールリンクを通じて、直接的又は間接的に互いに通信する。無線通信システムは、複数のキャリア（異なる周波数の波形信号）での動作をサポートする。マルチキャリア送信機は、変調された信号を複数のキャリアで同時に送信することができる。例えば、各通信リンクは、様々な無線技術に従って変調されたマルチキャリア信号である。各変調信号は、異なるキャリアで送信され、制御情報（たとえば、基準信号、制御チャネルなど）、オーバーヘッド情報、データなどを搬送する。
【００２２】
基地局は、１つ又は複数のアクセスポイントアンテナを介して端末１１と無線通信する。各基地局は、それぞれのカバレッジエリアに通信カバレッジを提供する。アクセスポイントのカバレッジエリアは、該カバレッジエリアの一部のみを構成するセクタに分割される。無線通信システムは、マクロ基地局、マイクロ基地局、又はピコ基地局などの異なるタイプの基地局を含む。基地局はまた、セルラー又はＷＬＡＮ無線アクセス技術などの異なる無線技術を利用する。基地局は、同じ又は異なるアクセスネットワーク又は事業者展開に関連付けられる。異なる基地局のカバレッジエリア（同じ又は異なるタイプの基地局のカバレッジエリア、同じ又は異なる無線技術を利用するカバレッジエリア、又は同じ又は異なるアクセスネットワークに属するカバレッジエリアを含む）は、オーバーラップしてもよい。
【００２３】
無線通信システムにおける通信リンクは、アップリンクＵＬ（Ｕｐｌｉｎｋ）伝送（たとえば、端末１１からネットワーク機器１２への伝送）を搬送するためのアップリンク、又はダウンリンクＤＬ（Ｄｏｗｎｌｉｎｋ）伝送（たとえば、ネットワーク機器１２から端末１１への伝送）を搬送するためのダウンリンクを含む。ＵＬ伝送は、逆方向リンク伝送とも呼ばれ、ＤＬ伝送は、順方向リンク伝送とも呼ばれる。ダウンリンク伝送は、認可周波数帯域、非認可周波数帯域、又はその両方を使用して行われる。同様に、アップリンク伝送は、認可周波数帯域、非認可周波数帯域、又はその両方を使用して行われる。
【００２４】
本開示の実施例は、端末側に応用される疑似コロケーション設定方法を提供し、図２に示すように、物理チャネル又は物理信号とは疑似コロケーションである非周期的基準信号がネットワーク機器によって設定された場合、非周期的基準信号又は非周期的基準信号に関連する目標物理信号を、所定の方式に従って物理チャネル又は物理信号の疑似コロケーション信号に決定するステップ２１を含む。
【００２５】
ここでいう非周期的基準信号とは、ネットワーク機器から物理チャネル又は物理信号のために設定される疑似コロケーションソース基準信号（ＱＣＬ  ｓｏｕｒｃｅ  ＲＳ）であり、非周期的基準信号は、非周期的トラッキング基準信号ＴＲＳ（Ｔｒａｃｋｉｎｇ  Ｒｅｆｅｒｅｎｃｅ  Ｓｉｇｎａｌ）及び非周期的チャネル状態指示基準信号ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を含む。
【００２６】
システムの周波数オフセット、時間オフセット、ドップラーシフト、ドップラースプレッド、遅延スプレッドを正確に推定する場合、オーバーヘッドを減らすために、セル固有基準信号ＣＲＳ（Ｃｅｌｌ  Ｓｐｅｃｉａｌ  Ｒｅｆｅｒｅｎｃｅ  Ｓｉｇｎａｌ）が持続的に（ａｌｗａｙｓ  ｏｎ）発生することを避ける必要があり、そのために、新たな基準信号、即ちトラッキング基準信号ＴＲＳが導入される。受信側は、ＴＲＳからチャネルパラメータを正確に推定することができ、復調精度を向上させることができる。
【００２７】
端末は、周波数範囲１において、連続する２つのｓｌｏｔに４列のＴＲＳが設定され、周波数範囲２において、連続する２つのｓｌｏｔに４列のＴＲＳが設定されるか、１つのｓｌｏｔに２列のＴＲＳが設定される。連続する２つ又は１つのｓｌｏｔ内のＴＲＳリソースは、ＴＲＳバースト（ＴＲＳ  ｂｕｒｓｔ）と呼ばれてもよい。ＴＲＳ  ｂｕｒｓｔは、同じ周期、帯域幅及びサブキャリア位置を有する。
【００２８】
ここで、ＴＲＳの周波数領域密度は、ρ＝３に固定され、即ちＴＲＳは、周波数領域で４サブキャリア間隔を有する。ＴＲＳの帯域幅は、５０ＲＢ占有帯域幅と、帯域幅部分ＢＷＰ（Ｂａｎｄｗｉｄｔｈ  Ｐａｒｔ）占有帯域幅のうち小さい方の値である。また、ＴＲＳは、周期的基準信号であってもよく、ＴＲＳの周期は、１０ｍｓ、２０ｍｓ、４０ｍｓ又は８０ｍｓである。
【００２９】
周期的ＴＲＳは、柔軟性が低いため、ビーム切り替え、ＢＷＰ切り替え、キャリアアグリゲーションなどのシナリオで問題となり、非周期的ＴＲＳが導入される。ここで、周波数範囲２では、任意選択の端末能力として非周期的ＴＲＳがサポートされる。なお、同じＢＷＰに関連性があり同じｂｕｒｓｔ長の周期的ＴＲＳが設定された場合のみにおいて、端末に対し非周期的ＴＲＳをトリガすることが可能であり、そうでなければ、端末に非周期的ＴＲＳをトリガすることが望ましくない。ここで、非周期的ＴＲＳは、関連する周期的ＴＲＳと同じ帯域幅、シンボル位置、サブキャリア位置及びｂｕｒｓｔ長を有し、且つ関連する周期的ＴＲＳと一定のＱＣＬの関係を満たす。ここで、ＴＲＳは、ドップラーシフト、ドップラースプレッド、平均遅延及び遅延スプレッドなどの全てのパラメータ情報を推定することができ、他の物理信号又は物理チャネルがＴＲＳとはＱＣＬであれば、ＴＲＳは、それらの物理信号又は物理チャネルのＱＣＬソース基準信号（ＱＣＬ  ｓｏｕｒｃｅ  ＲＳ）とすることができ、それらの物理信号又は物理チャネルは、ＴＲＳから推定したドップラーシフト、ドップラースプレッド、平均遅延及び遅延スプレッドなどの情報を使用することができる。非周期的ＴＲＳは、ＴＲＳの一種であり、物理信号又は物理チャネルのＱＣＬソース基準信号としてもよい。
【００３０】
ＴＲＳと同様に、ビーム管理のためのＣＳＩ−ＲＳ（ＣＳＩ−ＲＳ  ｆｏｒ  Ｂｅａｍ  Ｍａｎａｇｅｍｅｎｔ）は、ビーム指示の機能を有し、他の物理チャネル又は物理信号がこのタイプのＣＳＩ−ＲＳとＱＣＬである場合、ＣＳＩ−ＲＳの疑似コロケーションパラメータが物理チャネル又は物理信号のラージスケールパラメータの決定に使用される。チャネル状態情報測定のためのＣＳＩ−ＲＳ（ＣＳＩ−ＲＳ  ｆｏｒ  ＣＳＩ）は、いくつかのシナリオでは、平均遅延、ドップラーシフト、遅延スプレッド、ドップラースプレッド、空間受信パラメータなどの時間、周波数及び空間に関するすべてのパラメータが提供され、他の物理チャネル又は物理信号がこのタイプのＣＳＩ−ＲＳとＱＣＬである場合、ＣＳＩ−ＲＳの疑似コロケーションパラメータが該物理チャネル又は物理信号のラージスケールパラメータの決定に使用されてもよい。周期的ＣＳＩ−ＲＳの柔軟性が低いので、システムには、非周期的ＣＳＩ−ＲＳの概念も導入され、上記非周期的ＴＲＳと非周期的ＣＳＩ−ＲＳがＤＣＩによってトリガされることができる。ここで、ラージスケールパラメータは、また、スケール属性（ｌａｒｇｅ−ｓｃａｌｅ  ｐｒｏｐｅｒｔｉｅｓ）と呼ばれてもよく、遅延スプレッド（ｄｅｌａｙ  ｓｐｒｅａｄ）、ドップラースプレッド（Ｄｏｐｐｌｅｒ  ｓｐｒｅａｄ）、ドップラーシフト（Ｄｏｐｐｌｅｒ  ｓｈｉｆｔ）、平均遅延（ａｖｅｒａｇｅ  ｄｅｌａｙ）、空間受信（ｓｐａｔｉａｌ  ＲＸ）パラメータのうちの１つ又は複数のスケールチャネル属性を含む。
【００３１】
ここで、物理チャネル又は物理信号のオリジナルＱＣＬソース基準信号は、上記非周期的基準信号（例えば、非周期的ＴＲＳ及び／又は非周期的ＣＳＩ−ＲＳ）である。例えば、ネットワーク機器は、ある物理チャネル又は物理信号を時刻Ｘで送信するように設定し、その物理チャネル又は物理信号に対して、ある非周期的基準信号をＱＣＬソース基準信号として設定する。端末は、該非周期的ＴＲＳをトリガするＤＣＩを検出しなかった場合、非周期的基準信号又は非周期的基準信号に関連する目標物理信号を所定の方式に従って物理チャネル又は物理信号の疑似コロケーション信号に決定する。上記端末が非周期的基準信号をトリガするＤＣＩを検出しなかったことは、端末が該ＤＣＩを検出しなかったこと、又は、端末が該ＤＣＩを検出したが該ＤＣＩを正しく受信せず、即ち、ＤＣＩに搬送される情報を正しく解析しなかったことである。
【００３２】
ここで、非周期的基準信号と目標物理信号との関連関係は、ネットワーク機器から送信される上位層シグナリングによって指示される疑似コロケーション関係に基づいて決定される。ここで、非周期的基準信号が非周期的ＴＲＳである場合、目標物理信号は、周期的ＴＲＳである。非周期的ＴＲＳと周期的ＴＲＳとの関連関係とは、少なくとも、帯域幅、シンボル位置、サブキャリア位置及びｂｕｒｓｔ長が同一であり、且つ非周期的ＴＲＳと関連する周期的ＴＲＳとが一定のＱＣＩ関係、即ちＱＣＬタイプＡ＋ＱＣＬタイプＤを満たすことを意味する。非周期的基準信号が非周期的ＣＳＩ−ＲＳである場合、目標物理信号は、周期的ＴＲＳ、非周期的ＴＲＳ、同期信号ブロックＳＳＢ（Ｓｙｎｃｈｒｏｎｉｚａｔｉｏｎ  Ｓｉｇｎａｌ  ａｎｄ  ＰＢＣＨ  Ｂｌｏｃｋ）、周期的ＣＳＩ−ＲＳ、半持続的（ｓｅｍｉ−ｐｅｒｓｉｓｔｅｎｔ）ＣＳＩ−ＲＳ及び非周期的ＣＳＩ−ＲＳのうちの少なくとも１つである。ＳＳＢを例にとると、ＳＳＢは、初期アクセス段階で下りの時間と周波数の同期に用いられる。ＲＲＣの前に、ＳＳＢは、時間、周波数及び空間的な全てのパラメータを提供することができ、ＲＲＣの後に、ＳＳＢは、依然として、シグナリングにおける指示に従って、いくつかのチャネル又は信号に時間、周波数又は空間的なパラメータを提供することができる。いくつかのシナリオでは、ＳＳＢは、非周期的ＣＳＩ−ＲＳにＱＣＬタイプＤに関するパラメータを提供することができる。
【００３３】
ここで、物理チャネル又は物理信号と目標物理信号との間の疑似コロケーションタイプは、物理チャネル又は物理信号と非周期的基準信号との間の疑似コロケーションタイプと同じである。例えば、物理チャネル又は物理信号と非周期的基準信号との間の疑似コロケーションタイプがＱＣＬタイプＡである場合、物理チャネル又は物理信号と目標物理信号との間の疑似コロケーションタイプもＱＣＬタイプＡであり、物理チャネル又は物理信号と非周期的基準信号との間の疑似コロケーションタイプがＱＣＬタイプＤである場合、物理チャネル又は物理信号と目標物理信号との間の疑似コロケーションタイプもＱＣＬタイプＤであり、物理チャネル又は物理信号と非周期的基準信号との間の疑似コロケーションタイプがＱＣＬタイプＡ＋Ｄである場合、物理チャネル又は物理信号と目標物理信号との間の疑似コロケーションタイプもＱＣＬタイプＡ＋Ｄである。
【００３４】
ここで、上記所定の方式は、予め定義されるか、又はネットワーク機器から受信される第１のシグナリングによって指示される。ここでいう予め定義することとは、プロトコルに予め取り決めることや、端末やネットワーク機器に予め取り決めることを含むが、それらに限られない。第１のシグナリングは、ＤＣＩシグナリング、上位層シグナリング（例えばＲＲＣパラメータ設定シグナリング）又はメディアアクセス制御ＭＡＣ（Ｍｅｄｉｕｍ  Ａｃｃｅｓｓ  Ｃｏｎｔｒｏｌ）層シグナリングなどを含むが、それらに限られない。
【００３５】
以下、本実施例は、具体的な応用シナリオと関連して、上記ステップ２１の実現方式を説明する。
【００３６】
シナリオ１：第１の時間窓内に非周期的基準信号を受信した場合、非周期的基準信号を物理チャネル又は物理信号の疑似コロケーション信号に決定する。
【００３７】
このシナリオにおいて、ネットワーク機器がある物理信号のＱＣＬソース基準信号として非周期的ＴＲＳ及び非周期的ＣＳＩ−ＲＳを設定することを仮定する。ここで、非周期的ＴＲＳと該物理信号とのＱＣＬ関係は、ＱＣＬタイプＡであり、非周期的ＣＳＩ−ＲＳと該物理信号とのＱＣＬ関係は、ＱＣＬタイプＤである。端末は、予め取り決められた第１の時間窓内に非周期的ＴＲＳ及び非周期的ＣＳＩ−ＲＳを受信した場合、該物理信号のＱＣＬ信号として非周期的ＴＲＳ及び非周期的ＣＳＩ−ＲＳを直接使用する。
【００３８】
ここで、第１の時間窓内に１つ又は複数の非周期的基準信号を受信する可能性があり、複数の非周期的基準信号を受信した場合、端末がどの非周期的基準信号を物理チャネル又は物理信号のＱＣＬ信号として選択するかは、受信した非周期的基準信号のうち、物理チャネル又は物理信号に最も近いものを物理チャネル又は物理信号の疑似コロケーション信号に決定することを参照してもよいが、それに限られない。
【００３９】
なお、本実施例は、上記の例を例示的に説明するに過ぎず、非周期的基準信号は、非周期的ＴＲＳ又は非周期的ＣＳＩ−ＲＳのみを含んでもよく、物理チャネル又は物理信号のＱＣＬ信号を具体的に決定する方式は、上記の例を参照してもよいため、ここでは繰り返し述べない。
【００４０】
シナリオ２：第１の時間窓内に非周期的基準信号を受信しなかった場合、非周期的基準信号に関連する目標物理信号は、物理チャネル又は物理信号の疑似コロケーション信号に決定する。
【００４１】
このシナリオにおいて、ネットワーク機器がある物理信号のＱＣＬソース基準信号として非周期的ＴＲＳ及び非周期的ＣＳＩ−ＲＳを設定することを仮定する。ここで、非周期的ＴＲＳと該物理信号とのＱＣＬ関係は、ＱＣＬタイプＡであり、非周期的ＣＳＩ−ＲＳと該物理信号とのＱＣＬ関係は、ＱＣＬタイプＤである。端末は、予め取り決められた第１の時間窓内に非周期的ＴＲＳを受信しなかった場合、該非周期的ＴＲＳに関連する周期的ＴＲＳを、上記物理信号のＱＣＬ信号に決定し、即ち、該非周期的ＴＲＳに関連する周期的ＴＲＳを、上記物理信号の新たなＱＣＬソース基準信号とする。ここで、非周期的ＴＲＳと周期的ＴＲＳとのＱＣＬ関係は、ＱＣＬタイプＡ＋ＱＣＬタイプＤであると、周期的ＴＲＳと上記物理信号とのＱＣＬ関係は、ＱＣＬタイプＡである。また、端末は、予め取り決められた第１の時間窓内に非周期的ＣＳＩ−ＲＳも受信しなかった場合、該非周期的ＣＳＩ−ＲＳに関連する目標物理信号（例えばＳＳＢ）を上記物理信号のＱＣＬ信号に決定し、即ち、該非周期的ＣＳＩ−ＲＳに関連するＳＳＢを上記物理信号の新たなＱＣＬソース基準信号として使用することができる。ここで、該非周期的ＣＳＩ−ＲＳとＳＳＢのＱＣＬ関係は、ＱＣＬタイプＣ＋ＱＣＬタイプＤであると、ＳＳＢと上記物理信号のＱＣＬ関係は、ＱＣＬタイプＤである。
【００４２】
また、非周期的基準信号が非周期的ＴＲＳのみを含む場合、非周期的ＴＲＳを置き換えるために使用される目標ＴＲＳは、以下のうちの少なくとも１つを含んでよいが、これに限定されない。
【００４３】
タイプ１：上記非周期的ＴＲＳに関連する周期的ＴＲＳ。ここでいう関連とは、帯域幅、シンボル位置、サブキャリア位置及びｂｕｒｓｔ長などが同一であり、且つ、ＱＣＬタイプＡ、ＱＣＬタイプＢ、ＱＣＬタイプＣ及びＱＣＬタイプＤの少なくとも一方を満たすような、一定の疑似コロケーション関係を満たすことである。即ち、目標ＴＲＳは、上記非周期的ＴＲＳと帯域幅、シンボル位置、サブキャリア位置及びｂｕｒｓｔ長などが同一であり、且つ、上記非周期的ＴＲＳとＱＣＬタイプＡ＋ＱＣＬタイプＤのような一定の疑似コロケーション関係を満たす周期的ＴＲＳである。
【００４４】
即ち、端末は、非周期的トラッキング基準信号ＴＲＳをトリガする下り制御情報ＤＣＩを検出しなかった場合、該非周期的ＴＲＳに関連する周期的ＴＲＳを物理チャネル又は物理信号の新たな疑似コロケーションＱＣＬソース基準信号に決定する。
【００４５】
タイプ２：物理チャネル又は物理信号伝送前の所定の時間窓内に最後に受信された非周期的ＴＲＳ。ここでいう所定の時間窓とは、検索窓又は所属分野における他の何らかの適切な用語で呼ばれることもあり、本実施例では特に限定されない。ここでいう所定の時間窓内に最後に受信される非周期的ＴＲＳとは、所定の時間窓内に端末が受信した非周期的ＴＲＳのうち物理チャネル又は物理信号に最も近い非周期的ＴＲＳを意味する。例えば、端末は、所定の時間窓内にＡ−ＴＲＳ１、Ａ−ＴＲＳ２及び物理チャネル又は物理信号に最も近いＡ−ＴＲＳ３を受信した場合、Ａ−ＴＲＳ３を目標ＴＲＳに決定する。
【００４６】
即ち、端末は、所定の時間窓内に受信した非周期的ＴＲＳのうち、物理チャネル又は物理信号に最も近い非周期的ＴＲＳを、物理チャネル又は物理信号の新たなＱＣＬのソース基準信号に決定する。
【００４７】
タイプ３：所定の時間窓内に最後に受信されたＴＲＳ。ここでいう所定の時間窓内に最後に受信されるＴＲＳとは、端末が所定の時間窓内に最後に受信した非周期ＴＲＳ（Ａ−ＴＲＳ）と、Ａ−ＴＲＳに関連する周期的ＴＲＳのうち、物理チャネル又は物理信号に最も近いものをいう。例えば、端末は、Ａ−ＴＲＳと、物理チャネル又は物理信号に最も近いＰ−ＴＲＳ（周期的ＴＲＳ）を所定の時間窓内に受信すると、Ｐ−ＴＲＳを目標ＴＲＳに決定する。
【００４８】
即ち、端末は、所定の時間窓内に受信した物理チャネル又は物理信号に最も近いＴＲＳを、物理チャネル又は物理信号の新たなＱＣＬのソース基準信号に決定する。
【００４９】
なお、上記所定の方式は、端末が具体的にどの種類の目標ＴＲＳを採用するかを指示するためのものである。例えば、所定の方式によって、端末がタイプ１の目標ＴＲＳのみを採用できることを指示すると、端末は、非周期的トラッキング基準信号ＴＲＳをトリガする下り制御情報ＤＣＩを検出しなかった場合、該非周期的ＴＲＳに関連する周期的ＴＲＳのみを物理チャネル又は物理信号の新たな疑似コロケーションＱＣＬソース基準信号に決定することができる。又は、所定の方式によって、端末がタイプ２の目標ＴＲＳのみを採用できることを指示すると、端末は、所定の時間窓内に受信した物理チャネル又は物理信号に最も近い非周期ＴＲＳのみを、物理チャネル又は物理信号の新たなＱＣＬのソース基準信号に決定することができる。又は、所定の方式によって、端末がタイプ３の目標ＴＲＳのみを採用できることを指示すると、端末は、所定の時間窓内に受信した物理チャネル又は物理信号に最も近いＴＲＳのみを、物理チャネル又は物理信号の新たなＱＣＬのソース基準信号に決定することができる。
【００５０】
また、ネットワーク機器がある物理信号のＱＣＬソース基準信号として非周期的ＣＳＩ−ＲＳを設定する。ここで、非周期的ＣＳＩ−ＲＳは、該物理信号とのＱＣＬ関係がＱＣＬタイプＡ＋Ｄである。端末は、所定の第１の時間窓内に非周期的ＣＳＩ−ＲＳを受信しなかった場合、該非周期的ＣＳＩ−ＲＳに関連する目標物理信号を、上記物理信号の新たなＱＣＬソース基準信号として使用することができる。関連する目標物理信号がＴＲＳとＳＳＢを含み、ＴＲＳと非周期的ＣＳＩ−ＲＳとのＱＣＬ関係がＱＣＬタイプＡである場合、ＳＳＢと非周期的ＣＳＩ−ＲＳとのＱＣＬ関係は、ＱＣＬタイプＤである。
【００５１】
更に、ネットワーク機器がある物理信号のＱＣＬソース基準信号として非周期的ＣＳＩ−ＲＳを設定する。ここで、非周期的ＣＳＩ−ＲＳは、該物理信号とのＱＣＬ関係がＱＣＬタイプＡ＋Ｄである。端末は、所定の第１の時間窓内に非周期的ＣＳＩ−ＲＳを受信しなかった場合、第２の時間窓内に受信したものであって、該非周期的ＣＳＩ−ＲＳに関連する第１の目標物理信号を、上記物理信号の新たなＱＣＬソース基準信号として使用することができる。端末は、第２の時間窓内に非周期的ＣＳＩ−ＲＳに関連する第１の目標物理信号を受信しなかった場合、第１の目標物理信号に関連する第２の目標物理信号を所定の方式に従って物理チャネル又は物理信号の疑似コロケーション信号に決定する。第１の目標物理信号が非周期的ＴＲＳである場合を例にとると、端末は、所定の第１の時間窓内に非周期的ＣＳＩ−ＲＳを受信しなかった場合、第２の時間窓内に受信したものであって、該非周期的ＣＳＩ−ＲＳに関連する非周期的ＴＲＳを、上記物理信号の新たなＱＣＬソース基準信号として使用することができる。端末は、第２の時間窓内に非周期的ＣＳＩ−ＲＳに関連する非周期的ＴＲＳを受信しなかった場合、非周期的ＴＲＳに関連する周期的ＴＲＳを物理チャネル又は物理信号の疑似コロケーション信号に決定する。ここで、上記非周期的ＴＲＳと周期的ＴＲＳとのＱＣＬ関係がＱＣＬタイプＡ＋ＱＣＬタイプＤであり、該非周期的ＴＲＳと該非周期的ＣＳＩ−ＲＳとのＱＣＬ関係がＱＣＬタイプＡであるとすると、該周期的ＴＲＳと上記物理信号とのＱＣＬ関係は、ＱＣＬタイプＡである。
【００５２】
ここで、非周期的ＴＲＳに対応する第１の時間窓は、非周期的ＣＳＩ−ＲＳに対応する第１の時間窓と異なってもよい。上記第１の時間窓のパラメータは、窓長（窓の持続時間）、窓の開始位置及び窓の終了位置のうちの少なくとも１つを含むが、これらに限定されない。例えば、所定の時間窓のパラメータが、窓長又は窓の開始位置のみを含む場合、窓の終了位置は、デフォルト位置、即ち、物理チャネル又は物理信号に対応するリソースの時間領域開始位置である。例えば、窓長がＹであり、物理チャネル又は物理信号に対応するリソースの時間領域開始位置がＸであると、窓の開始位置は、Ｘ−Ｙである。ここで、上記第１の時間窓の窓長は、非周期的基準信号に関連する周期的信号の周期長である。例えば、非周期的ＴＲＳに対応する第１の時間窓の窓長は、該非周期的ＴＲＳに関連する周期的ＴＲＳの周期長である。また、例えば、非周期的ＣＳＩ−ＲＳに対応する第１の時間窓の窓長は、該非周期的ＣＳＩ−ＲＳに関連するＳＳＢ、周期的ＴＲＳ又は周期的ＣＳＩ−ＲＳの周期長である。非周期的ＣＳＩ−ＲＳと周期的ＴＲＳとがＱＣＬタイプＡに関して関連し、且つＳＳＢとがＱＣＬタイプＤに関して関連すると仮定する場合、非周期的ＣＳＩ−ＲＳに対応する第１の時間窓の窓長は、２つの周期的信号の周期長のうちの１つを選択する。
【００５３】
ここで、上記第１の時間窓のパラメータは、予め定義されるか、又はネットワーク機器から受信される第２のシグナリングによって指示される。ここで、予め定義することとは、プロトコルに予め取り決められること、端末やネットワーク機器に予め取り決められることなどを含むが、これらに限定されない。第２のシグナリングは、ＤＣＩシグナリング、上位層シグナリング（例えばＲＲＣパラメータ構成シグナリング）又はメディアアクセス制御ＭＡＣ層シグナリングなどを含むが、それらに限定されない。第２の時間窓は、第１の時間窓と類似し、パラメータタイプ、パラメータ設定方式について、第１の時間窓の実施例を参照してよいため、ここでは繰り返し述べない。
【００５４】
シナリオ３：第１の時間窓内に非周期的基準信号と非周期的基準信号に関連する目標物理信号とを受信した場合、非周期的基準信号と目標物理信号とのうち物理チャネル又は物理信号に最も近いものを、物理チャネル又は物理信号の疑似コロケーション信号に決定する。例えば、端末は、第１の時間窓内に、非周期的ＴＲＳ１、非周期的ＴＲＳ２及び物理チャネル又は物理信号に最も近い非周期的ＴＲＳ３を受信した場合、非周期的ＴＲＳ３を物理信号のＱＣＬ信号に決定する。
【００５５】
ここで、図４に示すように、本開示の実施例に係る方法は、ステップ４１とステップ４２を更に含む。
ステップ４１は、ステップ２１と同じであるため、繰り返し述べない。
ステップ４２において、ＱＣＬ信号に基づいて、物理チャネル又は物理信号に対応するリソースのラージスケールパラメータを決定する。
【００５６】
物理チャネル又は物理信号に対応するリソースのラージスケールパラメータを決定するために、端末は、所定の方式で、設定された非周期的基準信号及び目標物理信号を物理チャネル又は物理信号の新たなＱＣＬソース基準信号として決定し、新たなＱＣＬソース基準信号が決定された後、新たなＱＣＬソース基準信号によってスケール推定パラメータを提供し、物理チャネル又は物理信号の正常な伝送を保証する。
【００５７】
また、上記物理チャネルは、物理下り共有チャネルＰＤＳＣＨ（Ｐｈｙｓｉｃａｌ  Ｄｏｗｎｌｉｎｋ  Ｓｈａｒｅｄ  Ｃｈａｎｎｅｌ）及び物理下り制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）のうち少なくとも１つを含むが、これに限定されない。物理信号は、復調基準信号ＤＭＲＳ（Ｄｅ−Ｍｏｄｕｌａｔｉｏｎ  Ｒｅｆｅｒｅｎｃｅ  Ｓｉｇｎａｌ）、チャネル状態指示基準信号ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）及び他のタイプの基準信号のうちの少なくとも１つを含むが、それらに限定されない。
【００５８】
なお、本開示の実施例に係る非周期的基準信号及び目標物理信号は、異なるキャリア又はセルに位置し、又は、本開示の実施例に係る非周期的基準信号及び目標物理信号は、同じキャリア又はセルに位置する。例えば、セカンダリセルＳＣｅｌｌ（Ｓｅｃｏｎｄａｒｙ  Ｃｅｌｌ）の活性時に、ＳＣｅｌｌ時間周波数トラッキングのために周期的ＴＲＳを依然として設定すると、ＭＡＣ  ＣＥシグナリングが有効化された後、ＳＣｅｌｌの下りチャネルの時間周波数トラッキングを行うためには、次のＴＲＳ期間（遅延が最大で１ＴＲＳ期間に達する）まで待つ必要があるが、端末がＴＲＳを受信する前にＳＣｅｌｌとの精密な同期を完了することができず、リソースの浪費を招く。非周期的ＴＲＳがＤＣＩによってトリガされるため、端末は、周期的ＴＲＳのように次の周期が到来するのを待つ必要なく、すぐに非周期的ＴＲＳを受信してＳＣｅｌｌに時間周波数トラッキングを行うことができる。非周期的ＴＲＳは、ある周期的ＴＲＳに関連し、ＱＣＬ関係がＱＣＬタイプＡ＋Ｄである。ここで、該非周期的ＴＲＳがＳＣｅｌｌ内に位置するが、それに関連する周期的ＴＲＳは、プライマリセルＰＣｅｌｌ（Ｐｒｉｍａｒｙ  Ｃｅｌｌ  ）内に位置してもよい。この場合、非周期的ＴＲＳと、それに関連する周期的ＴＲＳとは、異なるキャリア又はセルに位置する。
【００５９】
本開示の実施例に係る疑似コロケーション設定方法において、端末は、ネットワーク機器から物理チャネル又は物理信号のための非周期的基準信号が設定された場合、該非周期的基準信号又は該非周期的基準信号に関連する目標物理信号に基づいて物理チャネル又は物理信号の疑似コロケーションパラメータを決定することができ、物理チャネル又は物理信号の対応するラージスケールパラメータの取得を保証することができ、それにより、物理チャネル又は物理信号が正常に伝送されることを保証することができる。
【００６０】
以上の実施例では、異なるシナリオでの疑似コロケーション設定方法を紹介したが、以下、更に、それに対応する端末について、図面を参照して紹介する。
【００６１】
図５に示すように、本開示の実施例に係る端末５００は、上記の実施例における、物理チャネル又は物理信号とは疑似コロケーションである非周期的基準信号がネットワーク機器によって設定された場合、非周期的基準信号又は非周期的基準信号に関連する目標物理信号を、所定の方式に従って物理チャネル又は物理信号の疑似コロケーション信号に決定する方法の詳細を実現し、同じ効果を奏することもできる。
該端末５００は、具体的には、物理チャネル又は物理信号とは疑似コロケーションである非周期的基準信号がネットワーク機器によって設定された場合、非周期的基準信号又は非周期的基準信号に関連する目標物理信号を、所定の方式に従って物理チャネル又は物理信号の疑似コロケーション信号に決定する処理モジュール５１０を含む。
【００６２】
ここで、非周期的基準信号と目標物理信号との関連関係は、ネットワーク機器から送信される上位層シグナリングによって指示される疑似コロケーション関係に基づいて決定される。
【００６３】
ここで、物理チャネル又は物理信号と目標物理信号との疑似コロケーションタイプは、物理チャネル又は物理信号と非周期的基準信号との疑似コロケーションタイプと同じである。
【００６４】
ここで、処理モジュール５１０は、
第１の時間窓内に非周期的基準信号を受信した場合、非周期的基準信号を物理チャネル又は物理信号の疑似コロケーション信号に決定する第１処理サブモジュール、
又は、
第１の時間窓内に非周期的基準信号が受信されない場合、非周期的基準信号に関連する目標物理信号を、物理チャネル又は物理信号の疑似コロケーション信号に決定する第２処理サブモジュール、
又は、
第１の時間窓内に非周期的基準信号及び非周期的基準信号に関連する目標物理信号を受信した場合、非周期的基準信号と目標物理信号とのうち物理チャネル又は物理信号に最も近いものを、物理チャネル又は物理信号の疑似コロケーション信号に決定する第３処理サブモジュールを含む。
【００６５】
ここで、処理モジュール５１０は、受信した非周期的基準信号のうち、物理チャネル又は物理信号に最も近いものを物理チャネル又は物理信号の疑似コロケーション信号に決定する第４処理サブモジュールを更に含む。
【００６６】
ここで、所定の方式は、予め定義されるか、又はネットワーク機器から受信される第１のシグナリングによって指示される。
【００６７】
ここで、第１のシグナリングは、ＤＣＩシグナリング、上位層シグナリング又はメディアアクセス制御ＭＡＣ層シグナリングを含む。
【００６８】
ここで、第１の時間窓のパラメータは、予め定義されるか、又はネットワーク機器から受信される第２のシグナリングによって指示される。
【００６９】
ここで、第２のシグナリングは、ＤＣＩシグナリング、上位層シグナリング又はメディアアクセス制御ＭＡＣ層シグナリングを含む。
【００７０】
ここで、第１の時間窓のパラメータは、非周期的基準信号に関連する周期信号の周期長である窓長、開始位置、終了位置の少なくとも１つを含む。
【００７１】
ここで、非周期的基準信号は、非周期的トラッキング基準信号ＴＲＳ及び非周期的チャネル状態指示基準信号ＣＳＩ−ＲＳの少なくとも一方を含む。
【００７２】
ここで、非周期的基準信号が非周期的ＴＲＳである場合、目標物理信号は、周期的ＴＲＳであり、非周期的基準信号が非周期的ＣＳＩ−ＲＳである場合、目標物理信号は、周期的ＴＲＳ、非周期的ＴＲＳ、同期信号ブロックＳＳＢ、周期的ＣＳＩ−ＲＳ、半持続的ＣＳＩ−ＲＳ及び非周期的ＣＳＩ−ＲＳのうちの少なくとも１つである。
【００７３】
ここで、処理モジュール５１０は、非周期的基準信号が非周期的ＣＳＩ−ＲＳであり、第２の時間窓内に非周期的ＣＳＩ−ＲＳに関連する第１の目標物理信号が受信されない場合、第１の目標物理信号に関連する第２の目標物理信号を、所定の方式に従って物理チャネル又は物理信号の疑似コロケーション信号に決定する第５処理サブモジュールを更に含む。
【００７４】
ここで、非周期的基準信号と目標物理信号とは、異なるキャリア又はセルに位置し、又は、非周期的基準信号と目標物理信号とは、同じキャリア又はセルに位置する。
【００７５】
ここで、物理チャネルは、物理下り共有チャネルＰＤＳＣＨ及び物理下り制御チャネルＰＤＣＣＨの少なくとも一方を含み、物理信号は、復調基準信号ＤＭＲＳ及びチャネル状態指示基準信号ＣＳＩ−ＲＳの少なくとも一方を含む。
【００７６】
なお、本開示の実施例に係る端末は、非周期的ＴＲＳをトリガするＤＣＩが紛失した場合、目標ＴＲＳを物理チャネル又は物理信号の新たなＱＣＬソース基準信号に置き換え、物理チャネル又は物理信号が正常に伝送されることを保証することができる。
【００７７】
上記目的をよりよく実現するために、更に、図６は、本開示の各実施例を実現する端末のハードウェア構造図である。該端末６０は、ラジオ周波数ユニット６１と、ネットワークモジュール６２と、音声出力ユニット６３と、入力ユニット６４と、センサ６５と、表示ユニット６６と、ユーザ入力ユニット６７と、インタフェースユニット６８と、メモリ６９と、プロセッサ６１０と、電源６１１などの構成要素を含むが、これらに限定されない。図６に示される端末の構造は、端末を限定するものではなく、端末は、図示されるよりも多い又は少ない構成要素を含むことができ、又は特定の構成要素を組み合わせることができ、又は異なる構成要素の設定を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００７８】
ここで、ラジオ周波数ユニット６１は、プロセッサ６１０による制御でデータを送受信する。
プロセッサ６１０は、物理チャネル又は物理信号とは疑似コロケーションである非周期的基準信号がネットワーク機器によって設定された場合、非周期的基準信号又は非周期的基準信号に関連する目標物理信号を、所定の方式に従って物理チャネル又は物理信号の疑似コロケーション信号に決定する。
【００７９】
本開示の実施例に係る端末は、ネットワーク機器から物理チャネル又は物理信号のための非周期的基準信号が設定された場合、該非周期的基準信号又は該非周期的基準信号に関連する目標物理信号に基づいて物理チャネル又は物理信号の疑似コロケーションパラメータを決定することができ、物理チャネル又は物理信号のラージスケールパラメータの決定を保証することができ、物理チャネル又は物理信号が正常に伝送されることを保証することができる。
【００８０】
なお、本開示の実施例において、ラジオ周波数ユニット６１は、情報の送受信又は通話中で信号の送受信に用いられ、具体的に、ネットワーク機器から下りデータを受信した後、プロセッサ６１０による処理に供し、また、上りデータをネットワーク機器に送信する。一般に、ラジオ周波数ユニット６１は、アンテナ、少なくとも１つの増幅器、トランシーバ、結合器、低雑音増幅器、デュプレクサなどを含むが、それらに限定されない。また、ラジオ周波数ユニット６１は、無線通信システムを介してネットワークや他の機器と通信を行うこともできる。
【００８１】
端末は、ネットワークモジュール６２を介して、電子メールの送受信、ウェブページの閲覧、ストリーミングメディアへのアクセスを支援するなど、無線ブロードバンドインターネットアクセスをユーザに提供する。
【００８２】
音声出力ユニット６３は、ラジオ周波数ユニット６１やネットワークモジュール６２が受信した音声データや、メモリ６９に記憶された音声データを音声信号に変換して音声として出力することができる。また、音声出力ユニット６３は、端末６０が実行する特定の機能に関する音声（例えば、呼出信号着信音、メッセージ着信音等）を出力してもよい。音声出力ユニット６３は、スピーカ、ブザー及びレシーバなどを含む。
【００８３】
入力ユニット６４は、音声や映像の信号を受信することに用いられる。入力ユニット６４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）６４１と、マイク６４２とを含む。処理された画像フレームは、表示ユニット６６上に表示される。グラフィックスプロセッサ６４１で処理された画像フレームは、メモリ６９（又は他の記憶媒体）に記憶されるか、又はラジオ周波数ユニット６１又はネットワークモジュール６２を介して送信される。マイク６４２は、音声を受信し、音声データに加工することができる。処理された音声データは、電話通話モードの場合、ラジオ周波数ユニット６１を介して移動体通信基地局に送信可能な形式に変換して出力することができる。
【００８４】
端末６０は、光センサ、モーションセンサ及び他のセンサのような少なくとも１つのセンサ６５を更に含む。具体的には、光センサは、周辺光センサ及び近接センサを含む。周辺光センサは、周辺光の明暗に応じて表示パネル６６１の輝度を調節し、近接センサは、端末６０が耳に移動したときに表示パネル６６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（たとえば、歩数計、ストローク）などに用いることができる。センサ６５は、指紋センサ、圧力センサ、虹彩センサ、分子センサ、ジャイロスコープ、気圧計、湿度計、温度計、赤外線センサなどを更に含むことができるが、ここでは枚挙しない。
【００８５】
表示ユニット６６は、ユーザが入力した情報やユーザに提供した情報を表示するために用いられる。表示ユニット６６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル６６１を含んでもよい。
【００８６】
ユーザ入力ユニット６７は、数字や文字情報の入力を受け付け、ユーザによる端末の設定や機能制御に関するキー信号の入力を行うことに用いられる。具体的に、ユーザ入力ユニット６７は、タッチパネル６７１と、その他の入力機器６７２とを含む。タッチパネル６７１は、タッチスクリーンとも呼ばれ、その上又は付近でのユーザのタッチ操作を取得可能である（たとえばユーザが指やスタイラスなどの任意の適切な物体や付属部材を用いたタッチパネル６７１の上又はタッチパネル６７１の付近での操作）。タッチパネル６７１は、タッチ検出装置とタッチコントローラの２つの部分を含みうる。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ６１０に送り、プロセッサ６１０からの命令を受信して実行する。なお、タッチパネル６７１は、抵抗膜式、静電容量式、赤外線、表面弾性波など、種々の方式を用いて実現することができる。ユーザ入力ユニット６７は、タッチパネル６７１の他に、他の入力機器６７２を含んでもよい。具体的に、他の入力機器６７２は、物理的なキーボード、機能キー（例えば、音量調節キー、スイッチキーなど）、トラックボール、マウス、レバーを含むが、ここでは枚挙しない。
【００８７】
更に、タッチパネル６７１は、表示パネル６６１に重ねられる。タッチパネル６７１は、その上又はその近くでタッチ操作を検出すると、プロセッサ６１０に送信して、タッチイベントのタイプを決定する。次いで、プロセッサ６１０は、タッチイベントのタイプに応じて、対応する視覚的出力を表示パネル６６１に提供する。図６では、タッチパネル６７１と表示パネル６６１は、独立した２つの部品として端末の入出力機能を実現するが、実施例によっては、タッチパネル６７１と表示パネル６６１を一体化して端末の入出力機能を実現することもでき、具体的にここでは限定しない。
【００８８】
インタフェースユニット６８は、外部装置と端末６０とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット６８は、外部装置から入力（たとえば、データ情報、電力など）を受信し、受信した入力を端末６０内の１つ以上の要素に伝送するために使用されてもよく、又は端末６０と外部装置との間でデータを伝送するために使用されてもよい。
【００８９】
メモリ６９は、ソフトウェアプログラム及び様々なデータを格納するために使用される。メモリ６９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ６９は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【００９０】
プロセッサ６１０は、端末の制御センタであり、各種インタフェースや回線を用いて端末全体の各部を接続し、メモリ６９に格納されたソフトウェアプログラム及び／又はモジュールを実行、メモリ６９に格納されたデータを呼び出して端末の各種機能及び処理データを実行し、端末全体の監視を行う。プロセッサ６１０は、１つ以上の処理ユニットを含んでもよい。任意選択で、プロセッサ６１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ６１０に統合されなくてもよいことが理解される。
【００９１】
端末６０は、各構成要素に電力を供給するためのバッテリのような電源６１１を更に含んでもよい。選択可能に、電源６１１は、電源管理システムを介してプロセッサ６１０に論理的に接続されてもよく、電源管理システムを介して充電、放電、及び消費電力管理などを管理する機能を実現してもよい。
【００９２】
また、端末６０は、図示しない機能モジュールを更に含んでもよく、ここでの説明は省略する。
【００９３】
任意選択で、本開示の実施例は、プロセッサ６１０と、メモリ６９と、メモリ６９に格納されてプロセッサ６１０で動作可能なプログラムを含む端末を更に提供し、該プログラムがプロセッサ６１０によって実行されると、上記疑似コロケーション設定方法の実施例の各プロセスが実現され、且つ同じ技術効果を奏することもできるので、重複を避けるために、ここでは繰り返して記載しない。ここで、端末は、無線端末であってもよく有線端末であってもよい。無線端末とは、音声及び／又は他のサービスデータ接続性をユーザに提供する機器を指し、無線接続機能の携帯式機器、又は、無線モデムに接続される他の処理機器を有する。無線端末は、無線アクセスネットワーク（Ｒａｄｉｏ  Ａｃｃｅｓｓ  Ｎｅｔｗｏｒｋ、ＲＡＮと略称される）を介して１つ又は複数のコアネットワークと通信可能である。無線端末は、移動電話（又は「セルラー」電話と称される）などの移動端末、移動端末を有するコンピュータなどである。たとえば、端末は、携帯式、ポータブル式、ハンドヘルド式、コンピュータ内蔵式又は車載の移動装置であり、無線アクセスネットワークとは音声及び／又はデータのやり取りを行う。例えば、ＰＣＳ（Ｐｅｒｓｏｎａｌ  Ｃｏｍｍｕｎｉｃａｔｉｏｎ  Ｓｅｒｖｉｃｅ）電話、コードレス電話、ＳＩＰ（Ｓｅｓｓｉｏｎ  Ｉｎｉｔｉａｔｉｏｎ  Ｐｒｏｔｏｃｏｌ）電話機、ＷＬＬ（Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）などの機器である。無線端末は、システム、受信契約ユニット（Ｓｕｂｓｃｒｉｂｅｒ  Ｕｎｉｔ）、受信契約局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、リモートステーション（Ｒｅｍｏｔｅ  Ｓｔａｔｉｏｎ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ機器（Ｕｓｅｒ  Ｄｅｖｉｃｅ  ｏｒ  Ｕｓｅｒ  Ｅｑｕｉｐｍｅｎｔ）と呼ばれてもよいが、ここでは限定されない。
【００９４】
本開示の実施例は、プログラムが格納されているコンピュータ読み取り可能な記憶媒体を更に提供し、当該プログラムがプロセッサによって実行されると、上記疑似コロケーション設定方法の実施例の各プロセスが実現され、且つ同じ技術効果を奏することもできるので、重複を避けるために、ここでは繰り返して記載しない。ここで、コンピュータ読み取り可能な記憶媒体は、たとえば、リードオンリーメモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスクなどなどである。
【００９５】
以上の実施例は、端末側から本開示の疑似コロケーション設定方法を紹介したが、以下、本実施例は、図面を参照してネットワーク機器側の疑似コロケーション設定方法を更に紹介する。
【００９６】
図７に示すように、本開示の実施例に係るネットワーク機器側に応用される疑似コロケーション設定方法において、以下のステップ７１、７２を含む。
ステップ７１において、物理チャネル又は物理信号とは疑似コロケーションである非周期的基準信号を設定する。
ここで、ネットワーク機器があるチャネル又は信号を時刻Ｘに送信するように設定し、該チャネル又は信号のために、ある非周期的基準信号をＱＣＬソース基準信号として設定すると、非周期的基準信号は、物理チャネル又は物理信号のオリジナル疑似コロケーションＱＣＬ基準信号である。
ステップ７２において、所定の方式を指示する第１のシグナリングを送信する。
【００９７】
ここで、非周期的基準信号をトリガするＤＣＩをネットワーク機器から端末に設定するものの、ネットワーク性能や他の原因によって、端末が該ＤＣＩを正しく受信できない可能性がある。端末のＤＣＩ未受信による物理チャネル又は物理信号の伝送失敗問題を避けるために、ネットワーク機器から端末に所定の方式を指示する第１のシグナリングを送信する。端末は、第１のシグナリングによって指示される所定の方式に従って、非周期的基準信号又は前記非周期的基準信号に関連する目標物理信号を物理チャネル又は物理信号の疑似コロケーション信号に決定する。
【００９８】
ここで、非周期的基準信号は、非周期的トラッキング基準信号ＴＲＳ及び非周期的チャネル状態指示基準信号ＣＳＩ−ＲＳの少なくとも一方を含む。非周期的基準信号が非周期的ＴＲＳである場合、目標物理信号は、周期的ＴＲＳであり、非周期的基準信号が非周期的ＣＳＩ−ＲＳである場合、目標物理信号は、周期的ＴＲＳ、非周期的ＴＲＳ、同期信号ブロックＳＳＢ、周期的ＣＳＩ−ＲＳ、半持続的ＣＳＩ−ＲＳ及び非周期的ＣＳＩ−ＲＳのうちの少なくとも１つである。
【００９９】
ここで、上記第１のシグナリングは、ＤＣＩシグナリング、上位層シグナリング（例えばＲＲＣパラメータ設定シグナリング）又はメディアアクセス制御ＭＡＣ層シグナリングを含むが、それらに限られない。
【０１００】
ここで、なお、ステップ７１とステップ７２は、厳格な時間上の前後順を有さず、ステップ７１が先でステップ７２が後であってもよく、ステップ７２が先でステップ７１が後であってもよいが、本開示の実施例ではこれについて特に限定しない。
【０１０１】
ここで、該方法は、上位層シグナリングの疑似コロケーション関係によって、非周期的基準信号と目標物理信号との関連関係を設定するステップを更に含む。即ち、非周期的基準信号と目標物理信号との関連関係は、ネットワーク機器から送信される上位層シグナリングによって指示される疑似コロケーション関係に基づいて決定される。ここで、非周期的基準信号が非周期的ＴＲＳである場合、目標物理信号は、周期的ＴＲＳである。
【０１０２】
ここで、物理チャネル又は物理信号と目標物理信号との疑似コロケーションタイプは、物理チャネル又は物理信号と非周期的基準信号との疑似コロケーションタイプと同じである。例えば物理チャネル又は物理信号と非周期的基準信号との疑似コロケーションタイプがＱＣＬタイプＡである場合、物理チャネル又は物理信号と目標物理信号との疑似コロケーションタイプもＱＣＬタイプＡである。即ち、非周期的基準信号と目標物理信号との間では、少なくともＱＣＬタイプＡを満たす。
【０１０３】
ここで、所定の方式は、以下のステップを実行するように端末に指示する。
第１の時間窓内に非周期的基準信号を受信した場合、非周期的基準信号を物理チャネル又は物理信号の疑似コロケーション信号に決定する。上記シナリオ１に対応し、上記シナリオのすべての実施例は、ここで適用するため、繰り返し述べない。
又は、第１の時間窓内に非周期的基準信号が受信されない場合、非周期的基準信号に関連する目標物理信号を、物理チャネル又は物理信号の疑似コロケーション信号に決定する。上記シナリオ２に対応し、上記シナリオのすべての実施例は、ここで適用するため、繰り返し述べない。特に、このシナリオでは、非周期的基準信号が非周期的ＣＳＩ−ＲＳである場合、所定の方式は、第２の時間窓内に非周期的ＣＳＩ−ＲＳに関連する第１の目標物理信号を受信しなかった場合、第１の目標物理信号に関連する第２の目標物理信号を所定の方式に従って物理チャネル又は物理信号の疑似コロケーション信号に決定するように端末に指示する。
又は、第１の時間窓内に非周期的基準信号及び非周期的基準信号に関連する目標物理信号を受信した場合、非周期的基準信号と目標物理信号とのうち物理チャネル又は物理信号に最も近いものを、物理チャネル又は物理信号の疑似コロケーション信号に決定する。上記シナリオ３に対応し、上記シナリオのすべての実施例は、ここで適用するため、繰り返し述べない。
【０１０４】
ここで、上記第１の時間窓のパラメータは、非周期的基準信号に関連する周期信号の周期長である窓長（窓の持続時間）、窓の開始位置、窓の終了位置の少なくとも１つを含む。ここで、第１の時間窓のパラメータは、予め定義されるか、ネットワーク機器から設定される。設定過程は、第１の時間窓のパラメータを指示する第２のシグナリングを送信することを参照してもよい。ここで、第２のシグナリングは、ＤＣＩシグナリング、上位層シグナリング又はメディアアクセス制御ＭＡＣ層シグナリングを含む。
【０１０５】
また、上記物理チャネルは、物理下り共有チャネルＰＤＳＣＨ及び物理下り制御チャネルＰＤＣＣＨの少なくとも一方を含む。ここで、制御リソースセットは、少なくとも１つの物理下り制御チャネルＰＤＣＣＨ伝送リソースのセットである。物理信号は、復調基準信号ＤＭＲＳ、チャネル状態指示基準信号ＣＳＩ−ＲＳ及び他のタイプの基準信号のうちの少なくとも一方を含む。本開示の実施例に係る非周期的基準信号と目標物理信号とは、異なるキャリア又はセルに位置し、又は、本開示の実施例に係る非周期的基準信号と目標物理信号とは、同じキャリア又はセルに位置する。
【０１０６】
本開示の実施例に係る疑似コロケーション設定方法において、ネットワーク機器は、物理チャネル又は物理信号に非周期的基準信号を設定し、端末は、該非周期的基準信号又は該非周期的基準信号に関連する目標物理信号に基づいて物理チャネル又は物理信号の疑似コロケーションパラメータを決定することができ、物理チャネル又は物理信号の対応するラージスケールパラメータの取得を保証することができ、物理チャネル又は物理信号が正常に伝送されることを保証することができる。
【０１０７】
以上の実施例は、異なるシナリオでの疑似コロケーション設定方法をそれぞれ詳細に紹介したが、以下、本実施例は、更に、それに対応するネットワーク機器について、図面を参照して紹介する。
【０１０８】
図８に示すように、本開示の実施例に係るネットワーク機器８００は、上記実施例における、物理チャネル又は物理信号とは疑似コロケーションである非周期的基準信号を設定し、所定の方式を指示する第１のシグナリングを送信する方法の詳細を実現し、同じ効果を奏することもできる。ここで、端末は、非周期的基準信号又は非周期的基準信号に関連する目標物理信号を、第１のシグナリングによって指示される所定の方式に従って物理チャネル又は物理信号の疑似コロケーション信号に決定する。
該ネットワーク機器８００は、具体的には、
物理チャネル又は物理信号とは疑似コロケーションである非周期的基準信号を設定する第１設定モジュール８１０と、
所定の方式を指示する第１のシグナリングを送信する第１送信モジュール８２０とを含み、
ここで、端末は、非周期的基準信号又は非周期的基準信号に関連する目標物理信号を、第１のシグナリングによって指示される所定の方式に従って物理チャネル又は物理信号の疑似コロケーション信号に決定する。
【０１０９】
ここで、ネットワーク機器８００は、上位層シグナリングの疑似コロケーション関係によって、非周期的基準信号と目標物理信号との関連関係を設定する第２設定モジュールを更に含む。
【０１１０】
ここで、物理チャネル又は物理信号と目標物理信号との疑似コロケーションタイプは、物理チャネル又は物理信号と非周期的基準信号との疑似コロケーションタイプと同じである。
【０１１１】
ここで、所定の方式は、
第１の時間窓内に非周期的基準信号を受信した場合、非周期的基準信号を物理チャネル又は物理信号の疑似コロケーション信号に決定するステップ、
又は、
第１の時間窓内に非周期的基準信号が受信されない場合、非周期的基準信号に関連する目標物理信号を、物理チャネル又は物理信号の疑似コロケーション信号に決定するステップ、
又は、
第１の時間窓内に非周期的基準信号及び非周期的基準信号に関連する目標物理信号を受信した場合、非周期的基準信号と目標物理信号とのうち物理チャネル又は物理信号に最も近いものを、物理チャネル又は物理信号の疑似コロケーション信号に決定するステップ、
を実行するように端末に指示する。
【０１１２】
ここで、第１のシグナリングは、ＤＣＩシグナリング、上位層シグナリング又はメディアアクセス制御ＭＡＣ層シグナリングを含む。
【０１１３】
ここで、ネットワーク機器８００は、第１の時間窓のパラメータを指示する第２のシグナリングを送信する第２送信モジュールを更に含む。
【０１１４】
ここで、第２のシグナリングは、ＤＣＩシグナリング、上位層シグナリング又はメディアアクセス制御ＭＡＣ層シグナリングを含む。
【０１１５】
ここで、第１の時間窓のパラメータは、非周期的基準信号に関連する周期信号の周期長である窓長、開始位置、終了位置の少なくとも１つを含む。
【０１１６】
ここで、非周期的基準信号は、非周期的トラッキング基準信号ＴＲＳ及び非周期的チャネル状態指示基準信号ＣＳＩ−ＲＳの少なくとも一方を含む。
【０１１７】
ここで、非周期的基準信号が非周期的ＴＲＳである場合、目標物理信号は、周期的ＴＲＳであり、
非周期的基準信号が非周期的ＣＳＩ−ＲＳである場合、目標物理信号は、周期的ＴＲＳ、非周期的ＴＲＳ、同期信号ブロックＳＳＢ、周期的ＣＳＩ−ＲＳ、半持続的ＣＳＩ−ＲＳ及び非周期的ＣＳＩ−ＲＳのうちの少なくとも１つである。
【０１１８】
ここで、非周期的基準信号と目標物理信号とは、異なるキャリア又はセルに位置し、又は、非周期的基準信号と目標物理信号とは、同じキャリア又はセルに位置する。
【０１１９】
ここで、物理チャネルは、物理下り共有チャネルＰＤＳＣＨ及び物理下り制御チャネルＰＤＣＣＨの少なくとも一方を含み、物理信号は、復調基準信号ＤＭＲＳ及びチャネル状態指示基準信号ＣＳＩ−ＲＳの少なくとも一方を含む。
【０１２０】
なお、以上のネットワーク機器や端末の各モジュールの分割は、あくまでも論理的機能の分割であり、実際の実現においては、全部又は一部が１つの物理的実体に統合されてもよいし、物理的に分離されてもよい。これらのモジュールは、全てソフトウェアで処理素子によって呼び出される形態で実現されてもよいし、全てハードウェアとして実現されてもよいし、更に、一部のモジュールを処理素子呼び出しソフトウェア、一部のモジュールをハードウェアとして実現することも可能である。例えば、決定モジュールは、個別に設けられた処理素子であってもよいし、上記装置のいずれかのチップに集積されて実現されてもよく、また、プログラムコードの形態で上記装置のメモリに記憶され、上記装置のいずれかの処理素子によって上記決定モジュールの機能が呼び出されて実行されるようにしてもよい。他のモジュールの実現は、同様である。また、これらのモジュールは、全部又は一部が一体化されていてもよいし、独立して実現されていてもよい。ここでいう処理素子とは、信号の処理能力を有する集積回路のことである。実施において、上記方法の各ステップ又は上記の各モジュールは、プロセッサ素子内のハードウェアの集積論理回路又はソフトウェア形態の命令によって実行されてもよい。
【０１２１】
例えば、上記モジュールは、上記方法を実施するように構成された１つ又は複数の集積回路、例えば、１つ又は複数の特定の集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣと略称される）、１つ又は複数のマイクロプロセッサ（ｄｉｇｉｔａｌ  ｓｉｇｎａｌ  ｐｒｏｃｅｓｓｏｒ、ＤＳＰと略称される）、又は１つ又は複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡと略称される）などである。また、上記モジュールが、処理素子でプログラムコードを呼び出す形態で実現される場合、この処理素子は、中央処理装置（Ｃｅｎｔｒａｌ  Ｐｒｏｃｅｓｓｉｎｇ  Ｕｎｉｔ、ＣＰＵと略称される）などの汎用プロセッサ、又は、プログラムコードを呼び出すことができる他のプロセッサである。また、これらのモジュールは、一体化されてシステムオンチップ（ｓｙｓｔｅｍ−ｏｎ−ａ−ｃｈｉｐ、ＳＯＣと略称される）の形態で実現されてもよい。
【０１２２】
なお、本開示の実施例に係るネットワーク機器は、物理チャネル又は物理信号に非周期的基準信号を設定し、端末は、該非周期的基準信号又は該非周期的基準信号に関連する目標物理信号に基づいて物理チャネル又は物理信号の疑似コロケーションパラメータを決定することができ、物理チャネル又は物理信号のラージスケールパラメータの決定を保証することができ、物理チャネル又は物理信号が正常に伝送されることを保証することができる。
【０１２３】
上記目的をよりよく実現するために、本開示の実施例は、ネットワーク機器を更に提供する。該ネットワーク機器は、プロセッサと、メモリと、メモリに格納されてプロセッサで動作可能なプログラムを含み、プロセッサがプログラムを実行すると、上記疑似コロケーション設定方法のステップが実現される。発明の実施例は、プログラムが格納されているコンピュータ読み取り可能な記憶媒体を更に提供し、プログラムがプロセッサによって実行されると、上記疑似コロケーション設定方法のステップが実現される。
【０１２４】
具体的には、本開示の実施例は、ネットワーク機器を更に提供する。図９に示すように、該ネットワーク機器９００は、アンテナ９１と、ラジオ周波数装置９２と、ベースバンド装置９３を更に含む。アンテナ９１は、ラジオ周波数装置９２に接続される。上り方向では、ラジオ周波数装置９２は、アンテナ９１を介して情報を受信し、受信した情報をベースバンド装置９３に送信して処理する。下り方向では、ベースバンド装置９３は、送信すべき情報を処理してラジオ周波数装置９２に送信する。ラジオ周波数装置９２は、受信した情報を処理してアンテナ９１を介して送信する。
【０１２５】
上記周波数バンド処理装置は、ベースバンド装置９３に位置してもよく、上記実施例でネットワーク機器によって実行される方法は、ベースバンド装置９３で実現可能である。このベースバンド装置９３は、プロセッサ９４とメモリ９５を含む。
【０１２６】
ベースバンド装置９３は、例えば少なくとも１つのベースバンドボードを含む。このベースバンドボードには、複数のチップが設けられている。図９に示すように、そのうちの１つのチップは、例えばプロセッサ９４である。プロセッサ９４は、メモリ９５に接続され、メモリ９５の中のプログラムを呼び出すことによって、上記実施例に示される操作を実行する。
【０１２７】
このベースバンド装置９３は、ラジオ周波数装置９２との情報のやり取りに用いられるネットワークインタフェース９６を更に含んでもよい。このインタフェースは、例えば汎用共通無線インタフェースＣＰＲＩ（ｃｏｍｍｏｎ  ｐｕｂｌｉｃ  ｒａｄｉｏ  ｉｎｔｅｒｆａｃｅ）である。
【０１２８】
ここのプロセッサは、１つのプロセッサであってもよく、複数の処理素子の総称であってもよい。例えば、このプロセッサは、ＣＰＵであってもよく、ＡＳＩＣであってもよく、又は、上記のネットワーク機器によって実行される方法を実施するために構成される１つ又は複数の集積回路、例えば、１つ又は複数の特定の集積回路、例えば１つ又は複数のマイクロプロセッサ、１つ又は複数のＤＳＰ、又は１つ又は複数のフィールドプログラマブルゲートアレイＦＰＧＡなどである。記憶素子は、１つのメモリであってもよく、複数の記憶素子の総称であってもよい。
【０１２９】
メモリ９５は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のメモリ９５は、これらに限られず、これら及びこれら以外の任意の適合する種類のメモリを含むとする。
【０１３０】
具体的に、本開示の実施例のネットワーク機器は、メモリ９５に記憶され、プロセッサ９４で動作可能なコンピュータプログラムを更に含む。プロセッサ９４は、メモリ９５の中のコンピュータプログラムを呼び出して、図８に示す各モジュールによって実行される方法を実行する。
【０１３１】
具体的には、プログラムがプロセッサ９４によって呼び出されると、物理チャネル又は物理信号とは疑似コロケーションである非周期的基準信号を設定するステップと、
所定の方式を指示する第１のシグナリングを送信するステップとを実行し、
ここで、端末は、非周期的基準信号又は非周期的基準信号に関連する目標物理信号を、第１のシグナリングによって指示される所定の方式に従って物理チャネル又は物理信号の疑似コロケーション信号に決定する。
【０１３２】
具体的には、プログラムがプロセッサ９４によって呼び出されると、上位層シグナリングの疑似コロケーション関係によって、非周期的基準信号と目標物理信号との関連関係を設定することを実行する。
【０１３３】
ここで、物理チャネル又は物理信号と目標物理信号との疑似コロケーションタイプは、物理チャネル又は物理信号と非周期的基準信号との疑似コロケーションタイプと同じである。
【０１３４】
ここで、所定の方式は、
第１の時間窓内に非周期的基準信号を受信した場合、非周期的基準信号を物理チャネル又は物理信号の疑似コロケーション信号に決定するステップ、
又は、
第１の時間窓内に非周期的基準信号が受信されない場合、非周期的基準信号に関連する目標物理信号を、物理チャネル又は物理信号の疑似コロケーション信号に決定するステップ、
又は、
第１の時間窓内に非周期的基準信号及び非周期的基準信号に関連する目標物理信号を受信した場合、非周期的基準信号と目標物理信号とのうち物理チャネル又は物理信号に最も近いものを、物理チャネル又は物理信号の疑似コロケーション信号に決定するステップを実行するように端末に指示する。
【０１３５】
ここで、第１のシグナリングは、ＤＣＩシグナリング、上位層シグナリング又はメディアアクセス制御ＭＡＣ層シグナリングを含む。
【０１３６】
具体的には、プログラムがプロセッサ９４によって呼び出されると、第１の時間窓のパラメータを指示する第２のシグナリングを送信するステップを実行する。
【０１３７】
ここで、第２のシグナリングは、ＤＣＩシグナリング、上位層シグナリング又はメディアアクセス制御ＭＡＣ層シグナリングを含む。
【０１３８】
ここで、第１の時間窓のパラメータは、非周期的基準信号に関連する周期信号の周期長である窓長、開始位置、終了位置の少なくとも１つを含む。
【０１３９】
ここで、非周期的基準信号は、非周期的トラッキング基準信号ＴＲＳ及び非周期的チャネル状態指示基準信号ＣＳＩ−ＲＳの少なくとも一方を含む。
【０１４０】
ここで、非周期的基準信号が非周期的ＴＲＳである場合、目標物理信号は、周期的ＴＲＳであり、
非周期的基準信号が非周期的ＣＳＩ−ＲＳである場合、目標物理信号は、周期的ＴＲＳ、非周期的ＴＲＳ、同期信号ブロックＳＳＢ、周期的ＣＳＩ−ＲＳ、半持続的ＣＳＩ−ＲＳ及び非周期的ＣＳＩ−ＲＳのうちの少なくとも１つである。
【０１４１】
ここで、非周期的基準信号と目標物理信号とは、異なるキャリア又はセルに位置し、又は、非周期的基準信号と目標物理信号とは、同じキャリア又はセルに位置する。
【０１４２】
ここで、物理チャネルは、物理下り共有チャネルＰＤＳＣＨ及び物理下り制御チャネルＰＤＣＣＨの少なくとも一方を含み、物理信号は、復調基準信号ＤＭＲＳ及びチャネル状態指示基準信号ＣＳＩ−ＲＳの少なくとも一方を含む。
【０１４３】
ここで、ネットワーク機器は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）又はＣＤＭＡ（Ｃｏｄｅ  Ｄｉｖｉｓｉｏｎ  Ｍｕｌｔｉｐｌｅ  Ａｃｃｅｓｓ）における基地局ＢＴＳ（Ｂａｓｅ  Ｔｒａｎｓｃｅｉｖｅｒ  Ｓｔａｔｉｏｎ）であってもよく、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）における基地局ＮＢ（ＮｏｄｅＢ）であってもよく、更に、ＬＴＥにおけるｅＮＢ又はｅＮｏｄｅＢ（Ｅｖｏｌｕｔｉｏｎａｌ  Ｎｏｄｅ  Ｂ）であってもよく、又は中継局やアクセスポイントであり、又は将来の５Ｇネットワークにおける基地局などであり、ここでは限定されない。
【０１４４】
本開示の実施例に係るネットワーク機器は、物理チャネル又は物理信号に非周期的基準信号を設定し、端末は、該非周期的基準信号又は該非周期的基準信号に関連する目標物理信号に基づいて物理チャネル又は物理信号の疑似コロケーションパラメータを決定することができ、物理チャネル又は物理信号のラージスケールパラメータの決定を保証することができ、物理チャネル又は物理信号が正常に伝送されることを保証することができる。
【０１４５】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１４６】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１４７】
本願で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【０１４８】
以上個別部品として説明したユニットは、物理的に離間したものであってもよく、そうでなくてもよい。ユニットとして示した部品は、物理ユニットであってもよく、そうでなくてもよい。即ち、一箇所に位置してもよく、複数のネットワークユニットに位置してもよい。実際の必要に応じてそのうちの一部又はすべてのユニットを選択して本開示の実施例の目的を実現する。
【０１４９】
また、本開示の各実施例における各機能的ユニットは、１つの処理ユニットに一体化されていてもよいし、物理的に別々に設けられていてもよいし、２つ以上が一体化されてもよい。
【０１５０】
前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスク又は光ディスクなど、プログラムコードを格納することができる様々な媒体を含む。
【０１５１】
なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。当業者にとって、本開示の方法及び装置のすべて又は任意のステップや部品は、任意の計算装置（プロセッサ、記憶媒体などを含む）や計算装置のネットワークでハードウェア、ファームウェア、ソフトウェア又はそれらの組み合わせによって実現されうることが理解できる。これは、当業者が本開示の説明を閲読して基本的なプログラミング技能を活用して実現できることである。
【０１５２】
従って、本開示の目的は、任意の計算装置で１つ又は一連のプログラムを実行することによっても実現されうる。前記計算装置は、周知されている汎用装置である。従って、本開示の目的は、前記方法又は装置を実現するプログラムコードを含むプログラムプロダクトの提供のみでも実現されうる。即ち、このようなプログラムプロダクトも本開示を構成し、しかもこのようなプログラムプロダクトを記憶した記憶媒体も本開示を構成する。明らかに、前記記憶媒体は、任意の周知される記憶媒体又は将来開発されうる任意の記憶媒体である。なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。
【０１５３】
以上記載されたのは、本開示の選択可能な実施形態である。当業者は、本開示に記載されている原理を逸脱せずに様々な改良や修飾をすることもできる。これらの改良や修飾も、本開示の保護範囲内にある。
【符号の説明】
【０１５４】
１１  端末
１２  ネットワーク機器
５００  端末
５１０  処理モジュール
６０  端末
６１  ラジオ周波数ユニット
６１０  プロセッサ
６１１  電源
６２  ネットワークモジュール
６３  音声出力ユニット
６４  入力ユニット
６４１  グラフィックスプロセッサ
６４２  マイク
６５  センサ
６６  表示ユニット
６６１  表示パネル
６７  ユーザ入力ユニット
６７１  タッチパネル
６７２  入力機器
６８  インタフェースユニット
６９  メモリ
８００  ネットワーク機器
８１０  第１設定モジュール
８２０  第１送信モジュール
９００  ネットワーク機器
９１  アンテナ
９２  ラジオ周波数装置
９３  ベースバンド装置
９４  プロセッサ
９５  メモリ
９６  ネットワークインタフェース
【図１】
2021520759.tif 000003
【図２】
2021520759.tif 000004
【図３】
2021520759.tif 000005
【図４】
2021520759.tif 000006
【図５】
2021520759.tif 000007
【図６】
2021520759.tif 000008
【図７】
2021520759.tif 000009
【図８】
2021520759.tif 000010
【図９】
2021520759.tif 000011
【手続補正書】
【提出日】令和2年11月10日(2020.11.10)
【手続補正１】
【補正対象書類名】特許請求の範囲
【補正対象項目名】全文
【補正方法】変更
【補正の内容】
【特許請求の範囲】
【請求項１】
端末側に応用される疑似コロケーション設定方法において、
物理チャネル又は物理信号とは疑似コロケーションである非周期的基準信号がネットワーク機器によって設定された場合、前記非周期的基準信号又は前記非周期的基準信号に関連する目標物理信号を、所定の方式に従って前記物理チャネル又は物理信号の疑似コロケーション信号に決定することを含む、疑似コロケーション設定方法。
【請求項２】
前記非周期的基準信号と目標物理信号との関連関係は、前記ネットワーク機器から送信される上位層シグナリングによって指示される疑似コロケーション関係に基づいて決定される、請求項１に記載の疑似コロケーション設定方法。
【請求項３】
前記物理チャネル又は物理信号と前記目標物理信号との疑似コロケーションタイプは、前記物理チャネル又は物理信号と前記非周期的基準信号との疑似コロケーションタイプと同じである、請求項１に記載の疑似コロケーション設定方法。
【請求項４】
前記非周期的基準信号又は前記非周期的基準信号に関連する目標物理信号を、所定の方式に従って前記物理チャネル又は物理信号の疑似コロケーション信号に決定することは、
第１の時間窓内に前記非周期的基準信号を受信した場合、前記非周期的基準信号を前記物理チャネル又は物理信号の疑似コロケーション信号に決定すること、
又は、
前記第１の時間窓内に前記非周期的基準信号が受信されない場合、前記非周期的基準信号に関連する目標物理信号を、前記物理チャネル又は物理信号の疑似コロケーション信号に決定すること、
又は、
前記第１の時間窓内に前記非周期的基準信号及び前記非周期的基準信号に関連する目標物理信号を受信した場合、前記非周期的基準信号と前記目標物理信号とのうち前記物理チャネル又は物理信号に最も近いものを、前記物理チャネル又は物理信号の疑似コロケーション信号に決定することを含む、請求項１に記載の疑似コロケーション設定方法。
【請求項５】
前記非周期的基準信号を前記物理チャネル又は物理信号の疑似コロケーション信号に決定することは、
受信した非周期的基準信号のうち、前記物理チャネル又は物理信号に最も近いものを、前記物理チャネル又は物理信号の疑似コロケーション信号に決定することを含む、請求項１又は４に記載の疑似コロケーション設定方法。
【請求項６】
前記第１の時間窓のパラメータは、前記非周期的基準信号に関連する周期信号の周期長である窓長、開始位置、終了位置の少なくとも１つを含む、請求項４に記載の疑似コロケーション設定方法。
【請求項７】
前記非周期的基準信号は、非周期的トラッキング基準信号ＴＲＳ及び非周期的チャネル状態指示基準信号ＣＳＩ−ＲＳの少なくとも一方を含む、請求項１記載の疑似コロケーション設定方法。
【請求項８】
前記非周期的基準信号が非周期的ＴＲＳである場合、前記目標物理信号は、周期的ＴＲＳであり、
前記非周期的基準信号が非周期的ＣＳＩ−ＲＳである場合、前記目標物理信号は、周期的ＴＲＳ、非周期的ＴＲＳ、同期信号ブロックＳＳＢ、周期的ＣＳＩ−ＲＳ、半持続的ＣＳＩ−ＲＳ及び非周期的ＣＳＩ−ＲＳのうちの少なくとも１つである、請求項７記載の疑似コロケーション設定方法。
【請求項９】
前記非周期的基準信号が非周期的ＣＳＩ−ＲＳである場合、前記非周期的基準信号に関連する目標物理信号を、所定の方式に従って前記物理チャネル又は物理信号の疑似コロケーション信号に決定することは、
第２の時間窓内に前記非周期的ＣＳＩ−ＲＳに関連する第１の目標物理信号が受信されない場合、前記第１の目標物理信号に関連する第２の目標物理信号を、所定の方式に従って前記物理チャネル又は物理信号の疑似コロケーション信号に決定することを含む、請求項７記載の疑似コロケーション設定方法。
【請求項１０】
前記物理チャネルは、物理下り共有チャネルＰＤＳＣＨ及び物理下り制御チャネルＰＤＣＣＨの少なくとも一方を含み、前記物理信号は、復調基準信号ＤＭＲＳ及びチャネル状態指示基準信号ＣＳＩ−ＲＳの少なくとも一方を含む、請求項１に記載の疑似コロケーション設定方法。
【請求項１１】
物理チャネル又は物理信号とは疑似コロケーションである非周期的基準信号がネットワーク機器によって設定された場合、前記非周期的基準信号又は前記非周期的基準信号に関連する目標物理信号を、所定の方式に従って前記物理チャネル又は物理信号の疑似コロケーション信号に決定する処理モジュールを含む、端末。
【請求項１２】
ネットワーク機器側に応用される疑似コロケーション設定方法において、
物理チャネル又は物理信号とは疑似コロケーションである非周期的基準信号を設定することと、
所定の方式を指示する第１のシグナリングを送信することとを含み、
ここで、端末は、前記非周期的基準信号又は前記非周期的基準信号に関連する目標物理信号を、前記第１のシグナリングによって指示される所定の方式に従って前記物理チャネル又は物理信号の疑似コロケーション信号に決定する、疑似コロケーション設定方法。
【請求項１３】
上位層シグナリングの疑似コロケーション関係によって、前記非周期的基準信号と前記目標物理信号との関連関係を設定することを更に含み、
及び／又は
前記物理チャネル又は物理信号と前記目標物理信号との疑似コロケーションタイプは、前記物理チャネル又は物理信号と前記非周期的基準信号との疑似コロケーションタイプと同じである、請求項１２に記載の疑似コロケーション設定方法。
【請求項１４】
前記所定の方式は、
第１の時間窓内に前記非周期的基準信号を受信した場合、前記非周期的基準信号を前記物理チャネル又は物理信号の疑似コロケーション信号に決定すること、
又は、
前記第１の時間窓内に前記非周期的基準信号が受信されない場合、前記非周期的基準信号に関連する目標物理信号を、前記物理チャネル又は物理信号の疑似コロケーション信号に決定すること、
又は、
前記第１の時間窓内に前記非周期的基準信号及び前記非周期的基準信号に関連する目標物理信号を受信した場合、前記非周期的基準信号と前記目標物理信号とのうち前記物理チャネル又は物理信号に最も近いものを、前記物理チャネル又は物理信号の疑似コロケーション信号に決定すること、
を実行するように端末に指示する、請求項１２に記載の疑似コロケーション設定方法。
【請求項１５】
物理チャネル又は物理信号とは疑似コロケーションである非周期的基準信号を設定する第１設定モジュールと、
所定の方式を指示する第１のシグナリングを送信する第１送信モジュールとを含み、
ここで、端末は、前記非周期的基準信号又は前記非周期的基準信号に関連する目標物理信号を、前記第１のシグナリングによって指示される所定の方式に従って前記物理チャネル又は物理信号の疑似コロケーション信号に決定する、ネットワーク機器。
【国際調査報告】
2021520759.tif 000012
2021520759.tif 000013
2021520759.tif 000014
2021520759.tif 000015